(57)【要約】【課題】多心コネクタ光ファイバーパッチコードの測定を行う多心コネクタ光ファイバー測定装置において、測定精度の低下を抑えることができる多心コネクタ光ファイバー測定装置を提供する。【解決手段】光源部が発光した光が順次入射されたそれぞれの光ファイバーによって伝送された光を受光する受光部側に、光の受光領域が複数に分割され、受光した光に応じた電気信号を分割されたそれぞれの受光領域ごとに出力する分割型フォトダイオードと、多心コネクタ光ファイバーパッチコードに取り付けられた多心光コネクタと嵌合し、多心光コネクタ内に配置された複数の光ファイバーのフェルール端面と分割型フォトダイオードとの間の距離を予め定めた距離に固定する多心光コネクタ用レセプタクルと、分割型フォトダイオードから出力されたそれぞれの受光領域の電気信号に基づいて、極性タイプの識別と光パワーの測定とを行う信号処理部と、を備える。【選択図】図１
2019152627.tif 000002
【特許請求の範囲】
【請求項１】
複数の光ファイバーをまとめて多心化した多心コネクタ光ファイバーパッチコードの極性タイプの識別と、それぞれの前記光ファイバーによって伝送される光の光パワーの測定とを行う多心コネクタ光ファイバー測定装置であって、
光源部が発光した光が順次入射されたそれぞれの前記光ファイバーによって伝送された光を受光する受光部側に、
光の受光領域が複数に分割され、受光した光に応じた電気信号を分割されたそれぞれの前記受光領域ごとに出力する分割型フォトダイオードと、
前記多心コネクタ光ファイバーパッチコードに取り付けられた多心光コネクタと嵌合し、前記多心光コネクタ内に配置された複数の前記光ファイバーのフェルール端面と前記分割型フォトダイオードとの間の距離を予め定めた距離に固定する多心光コネクタ用レセプタクルと、
前記分割型フォトダイオードから出力されたそれぞれの前記受光領域の電気信号に基づいて、前記極性タイプの識別と前記光パワーの測定とを行う信号処理部と、
を備える、
ことを特徴とする多心コネクタ光ファイバー測定装置。
【請求項２】
前記多心光コネクタ用レセプタクルは、
前記多心光コネクタ内に配置された複数の前記光ファイバーのフェルール端面から出射される光を遮らない大きさおよび形状の開口部、
を備える、
ことを特徴とする請求項１に記載の多心コネクタ光ファイバー測定装置。
【請求項３】
前記開口部は、
前記多心光コネクタに備えた位置決めピンが、当該開口部の領域内に収まる大きさおよび形状である、
ことを特徴とする請求項２に記載の多心コネクタ光ファイバー測定装置。
【請求項４】
前記多心光コネクタ用レセプタクルは、
前記多心光コネクタにおいて前記光ファイバーのフェルール端面が配置された長手方向を、前記分割型フォトダイオードにおいて分割された前記受光領域の境界線に対して予め定めた角度を持たせて位置させる、
ことを特徴とする請求項１から請求項３のいずれか１項に記載の多心コネクタ光ファイバー測定装置。
【請求項５】
前記角度は、
０°以外の角度である、
ことを特徴とする請求項４に記載の多心コネクタ光ファイバー測定装置。
【請求項６】
前記角度は、
４５°である、
ことを特徴とする請求項５に記載の多心コネクタ光ファイバー測定装置。
【請求項７】
前記多心光コネクタ用レセプタクルと前記分割型フォトダイオードとの間に、前記多心光コネクタ内に配置された全ての前記光ファイバーのフェルール端面から出射される光を前記分割型フォトダイオードの前記受光領域の範囲内に照射させるレンズ、
をさらに備える、
ことを特徴とする請求項１から請求項６のいずれか１項に記載の多心コネクタ光ファイバー測定装置。
【請求項８】
前記分割型フォトダイオードは、
前記受光領域が２分割されている、
ことを特徴とする請求項１から請求項７のいずれか１項に記載の多心コネクタ光ファイバー測定装置。
【請求項９】
前記分割型フォトダイオードは、
前記受光領域が４分割されている、
ことを特徴とする請求項１から請求項７のいずれか１項に記載の多心コネクタ光ファイバー測定装置。
【発明の詳細な説明】
【技術分野】
【０００１】
本発明は、多心コネクタ光ファイバー測定装置に関する。
【背景技術】
【０００２】
従来から、光信号によってデータ通信などを行う光通信システムが実用化されている。光通信システムでは、光信号を伝送するための媒体として光ファイバーが用いられている。光通信システムを利用している設備としては、コンピュータやデータ通信装置を設置して運用しているデータセンターなどがある。データセンターなどの設備では、それぞれの装置同士を接続するために、大量の光ファイバーが敷設されている。
【０００３】
近年、データセンターなどの設備では、データの伝送量の増加への対応が求められている。このため、データセンターなどの設備では、複数の光ファイバーをまとめて多心化した多心光ファイバーの両端に多心光コネクタを取り付けた多心コネクタ光ファイバーパッチコードを敷設することによって、データ伝送の高密度化を図っている。
【０００４】
ところで、多心コネクタ光ファイバーパッチコードには、両端の多心光コネクタ間のそれぞれの光ファイバーの結線によって極性が異なる複数のタイプが存在する。例えば、多心光コネクタが１２本の光ファイバーを一括して接続することができる構成の１２心ＭＰＯ（Ｍｕｌｔｉ−ｆｉｂｅｒ  Ｐｕｓｈ  Ｏｎ）コネクタである場合、ＭＰＯコネクタ間の光ファイバーの結線によって、Ａタイプ、Ｂタイプ、およびＣタイプの３種類の極性タイプが存在する。このため、データセンターなどの設備において多心コネクタ光ファイバーパッチコードを敷設する際には、多心コネクタ光ファイバーパッチコードの極性タイプを確認（識別）しながら敷設する必要がある。また、データセンターなどの設備において多心コネクタ光ファイバーパッチコードを敷設する際には、接続した多心コネクタ光ファイバーパッチコードの損失（接続損失）を測定するために、伝送された光の光強度、いわゆる、光パワーの計測（測定）も行われる。このとき、多心コネクタ光ファイバーパッチコードの極性タイプの確認（識別）や光パワーの計測（測定）を、例えば、特許文献１に開示されたような、多心コネクタ光ファイバー測定装置を用いて行う。
【０００５】
ここで、従来の多心コネクタ光ファイバー測定装置の構成および動作について説明する。図１５は、従来の多心コネクタ光ファイバー測定装置の概略構成を示したブロック図である。従来の多心コネクタ光ファイバー測定装置９００は、測定対象の多心コネクタ光ファイバーパッチコード５００を構成する複数の光ファイバー５１０のチャネルの内、任意の１つの光ファイバー５１０のチャネルに発光した光を入射させる光源部９１０と、光ファイバー５１０によって伝送された光に基づいて多心コネクタ光ファイバーパッチコード５００の極性タイプの確認（識別）や光パワーの計測（測定）を行う測定部９２０とを含んで構成される。従来の多心コネクタ光ファイバー測定装置９００では、光源部９１０を測定対象の多心コネクタ光ファイバーパッチコード５００の一端に接続し、測定部９２０を多心コネクタ光ファイバーパッチコード５００の他端に接続することによって、多心コネクタ光ファイバーパッチコード５００の極性タイプの確認（識別）と光パワーの計測（測定）とを同時に行う。
【０００６】
光源部９１０は、光源、光スイッチ、光ファイバーファンアウトコード、および多心コネクタアダプタを含んで構成される。光源部９１０は、多心コネクタアダプタによって、多心コネクタ光ファイバーパッチコード５００の一端に備えたＭＰＯコネクタ５０１と接続される。そして、光源部９１０は、光源が発光した光を、多心コネクタアダプタによって接続された多心コネクタ光ファイバーパッチコード５００を構成する任意の１つの光ファイバー５１０のチャネルに入射させる。このとき、光源部９１０では、光スイッチが、光源が発光した光を出射する光路を、光を入射させる光ファイバー５１０のチャネルに対応する光ファイバーファンアウトコードが接続された光路に切り替える。これにより、光源部９１０では、光源が発光した光が、光スイッチ、光ファイバーファンアウトコード、および多心コネクタアダプタを介して、光を入射させる任意の１つの光ファイバー５１０のチャネルに入射される。
【０００７】
測定部９２０は、受光部９２１と、信号処理部９２２と、表示部９２３とを含んで構成される。また、受光部９２１は、多心コネクタアダプタ９２１１と、光ファイバーファンアウトコード９２１２と、光スイッチ９２１３と、光センサ９２１４とを含んで構成される。受光部９２１は、多心コネクタアダプタ９２１１によって、多心コネクタ光ファイバーパッチコード５００において光源部９１０が接続されていない他端に備えたＭＰＯコネクタ５０２と接続される。これにより、受光部９２１では、多心コネクタ光ファイバーパッチコード５００を構成するそれぞれの光ファイバー５１０のチャネルによって伝送された光が、多心コネクタアダプタ９２１１を介して、対応する光ファイバーファンアウトコード９２１２に入射される。受光部９２１では、それぞれの光ファイバーファンアウトコード９２１２が、入射された光を光スイッチ９２１３に出射する。そして、受光部９２１では、光スイッチ９２１３が、多心コネクタ光ファイバーパッチコード５００のそれぞれの光ファイバー５１０のチャネルによって伝送されてきた光を光センサ９２１４に出射する光路を順次切り替える。つまり、受光部９２１では、光スイッチ９２１３が、それぞれの光ファイバーファンアウトコード９２１２から出射された光の光路を順次切り替えて、１つの光センサ９２１４に順次出射する。そして、受光部９２１は、光センサ９２１４が、光スイッチ９２１３によって切り替えられて入射した光を順次受光し、受光した光に応じたそれぞれの電気信号を信号処理部９２２に順次出力する。そして、測定部９２０では、信号処理部９２２が、受光部９２１から出力された電気信号に基づいて、多心コネクタ光ファイバーパッチコード５００のそれぞれの光ファイバー５１０のチャネルによって伝送されてきた光の光パワーを算出する。また、測定部９２０は、算出したそれぞれのチャネルの光パワー値を比較することによって、光源部９１０によって光源が発光した光が入射された任意の１つの光ファイバー５１０のチャネルを判別する。
【０００８】
以降、多心コネクタ光ファイバー測定装置９００では、光源部９１０が、光スイッチによって光源が発光した光を入射させる光ファイバーファンアウトコードを順次切り替え、任意の１つの光ファイバー５１０のチャネルに光を順次入射させる。そして、多心コネクタ光ファイバー測定装置９００では、測定部９２０が、それぞれの光ファイバー５１０のチャネルによって伝送されてきた光の光パワーの算出と任意の１つの光ファイバー５１０のチャネルの判別とを繰り返す。このようにして、従来の多心コネクタ光ファイバー測定装置９００では、多心コネクタ光ファイバーパッチコード５００を構成する全ての光ファイバー５１０のチャネルの光パワーの算出と判別とを行う。そして、従来の多心コネクタ光ファイバー測定装置９００では、全ての光ファイバー５１０のチャネルの光パワーの算出と判別とが完了したときに、光を入射させた任意の１つの光ファイバー５１０のチャネルの情報と、光ファイバー５１０のチャネルを判別した結果とに基づいて、多心コネクタ光ファイバーパッチコード５００の極性タイプを確認（識別）する。このようにして、従来の多心コネクタ光ファイバー測定装置９００では、全ての光ファイバー５１０のチャネルの光パワーの算出と判別とが完了したときに、多心コネクタ光ファイバーパッチコード５００の極性タイプの最終的な確認（識別）結果と、それぞれの光ファイバー５１０のチャネルにおける光パワーの最終的な計測（測定）結果とを得る。
【０００９】
なお、多心コネクタ光ファイバー測定装置９００では、測定対象の多心コネクタ光ファイバーパッチコード５００の極性タイプの最終的な確認（識別）結果と、それぞれのチャネルの光パワーの最終的な計測（測定）結果とを、表示部９２３に表示することもできる。
【先行技術文献】
【特許文献】
【００１０】
【特許文献１】特開平２−２３４０４３号公報
【発明の概要】
【発明が解決しようとする課題】
【００１１】
しかしながら、従来の多心コネクタ光ファイバー測定装置９００では、上述したように、光ファイバーファンアウトコードおよび光スイッチを介して、光源が発光した光を光ファイバー５１０のチャネルに入射させ、光ファイバー５１０のチャネルによって伝送されてきた光を、光ファイバーファンアウトコード９２１２および光スイッチ９２１３を介して、光センサ９２１４に出射している。このため、多心コネクタ光ファイバー測定装置９００では、計測（測定）した多心コネクタ光ファイバーパッチコード５００の光パワー値の中に、多心コネクタ光ファイバーパッチコード５００と光ファイバーファンアウトコード９２１２との接続損失や、光スイッチ９２１３が切り替える光の損失が、少なからず含まれてしまう。つまり、従来の多心コネクタ光ファイバー測定装置９００では、測定対象の多心コネクタ光ファイバーパッチコード５００以外の構成要素による光の損失の影響を受けて、光パワーの測定精度が低下してしまう。
【００１２】
本発明は、上記の課題に基づいてなされたものであり、多心光コネクタが取り付けられた多心コネクタ光ファイバーパッチコードの測定を行う多心コネクタ光ファイバー測定装置において、測定精度の低下を抑えることができる多心コネクタ光ファイバー測定装置を提供することを目的としている。
【課題を解決するための手段】
【００１３】
上記の課題を解決するため、本発明の多心コネクタ光ファイバー測定装置は、複数の光ファイバーをまとめて多心化した多心コネクタ光ファイバーパッチコードの極性タイプの識別と、それぞれの前記光ファイバーによって伝送される光の光パワーの測定とを行う多心コネクタ光ファイバー測定装置であって、光源部が発光した光が順次入射されたそれぞれの前記光ファイバーによって伝送された光を受光する受光部側に、光の受光領域が複数に分割され、受光した光に応じた電気信号を分割されたそれぞれの前記受光領域ごとに出力する分割型フォトダイオードと、前記多心コネクタ光ファイバーパッチコードに取り付けられた多心光コネクタと嵌合し、前記多心光コネクタ内に配置された複数の前記光ファイバーのフェルール端面と前記分割型フォトダイオードとの間の距離を予め定めた距離に固定する多心光コネクタ用レセプタクルと、前記分割型フォトダイオードから出力されたそれぞれの前記受光領域の電気信号に基づいて、前記極性タイプの識別と前記光パワーの測定とを行う信号処理部と、を備える、ことを特徴とする。
【００１４】
本発明によれば、多心コネクタ光ファイバー測定装置は、接続された測定対象の多心コネクタ光ファイバーパッチコードの極性タイプの識別と光パワーの測定とを同時に行うことができる。
【００１５】
また、本発明の多心コネクタ光ファイバー測定装置における前記多心光コネクタ用レセプタクルは、前記多心光コネクタ内に配置された複数の前記光ファイバーのフェルール端面から出射される光を遮らない大きさおよび形状の開口部、を備える、ことを特徴とする。
【００１６】
本発明によれば、多心コネクタ光ファイバー測定装置は、多心光コネクタの構造に関係なく、接続された測定対象の多心コネクタ光ファイバーパッチコードの極性タイプの識別と光パワーの測定とを同時に行うことができる。
【００１７】
また、本発明の多心コネクタ光ファイバー測定装置における前記多心光コネクタ用レセプタクルの前記開口部は、前記多心光コネクタに備えた位置決めピンが、当該開口部の領域内に収まる大きさおよび形状である、ことを特徴とする。
【００１８】
本発明によれば、多心コネクタ光ファイバー測定装置は、多心光コネクタのタイプ（オスタイプやメスタイプ）に関係なく、接続された測定対象の多心コネクタ光ファイバーパッチコードの極性タイプの識別と光パワーの測定とを同時に行うことができる。
【００１９】
また、本発明の多心コネクタ光ファイバー測定装置における前記多心光コネクタ用レセプタクルは、前記多心光コネクタにおいて前記光ファイバーのフェルール端面が配置された長手方向を、前記分割型フォトダイオードにおいて分割された前記受光領域の境界線に対して予め定めた角度を持たせて位置させる、ことを特徴とする。
【００２０】
本発明によれば、多心コネクタ光ファイバー測定装置は、多心光コネクタに配置された光ファイバーの長手方向の心数に関係なく、接続された測定対象の多心コネクタ光ファイバーパッチコードの極性タイプの識別と光パワーの測定とを同時に行うことができる。
【００２１】
また、本発明の多心コネクタ光ファイバー測定装置における前記多心光コネクタ用レセプタクルの前記角度は、０°以外の角度である、ことを特徴とする。
【００２２】
また、本発明の多心コネクタ光ファイバー測定装置における前記多心光コネクタ用レセプタクルの前記角度は、４５°である、ことを特徴とする。
【００２３】
また、本発明の多心コネクタ光ファイバー測定装置は、前記多心光コネクタ用レセプタクルと前記分割型フォトダイオードとの間に、前記多心光コネクタ内に配置された全ての前記光ファイバーのフェルール端面から出射される光を前記分割型フォトダイオードの前記受光領域の範囲内に照射させるレンズ、をさらに備える、ことを特徴とする。
【００２４】
本発明によれば、多心コネクタ光ファイバー測定装置は、小さい受光領域の分割型フォトダイオードを、採用することができる。
【００２５】
また、本発明の多心コネクタ光ファイバー測定装置における前記分割型フォトダイオードは、前記受光領域が２分割されている、ことを特徴とする。
【００２６】
本発明によれば、多心コネクタ光ファイバー測定装置は、多心光コネクタ内に配置された複数の光ファイバーのフェルール端面が１列である測定対象の多心コネクタ光ファイバーパッチコードの極性タイプの識別と光パワーの測定とを同時に行うことができる。
【００２７】
また、本発明の多心コネクタ光ファイバー測定装置における前記分割型フォトダイオードは、前記受光領域が４分割されている、ことを特徴とする。
【００２８】
本発明によれば、多心コネクタ光ファイバー測定装置は、多心光コネクタ内に配置された複数の光ファイバーのフェルール端面が複数列である測定対象の多心コネクタ光ファイバーパッチコードの極性タイプの識別と光パワーの測定とを同時に行うことができる。
【発明の効果】
【００２９】
本発明によれば、多心光コネクタが取り付けられた多心コネクタ光ファイバーパッチコードの測定を行う多心コネクタ光ファイバー測定装置において、測定精度の低下を抑えることができる多心コネクタ光ファイバー測定装置を提供することができるという効果が得られる。
【図面の簡単な説明】
【００３０】
【図１】本発明の実施形態における多心コネクタ光ファイバー測定装置の概略構成を示したブロック図である。
【図２】本発明の実施形態の多心コネクタ光ファイバー測定装置を構成する光源部の概略構成の一例を示したブロック図である。
【図３】本発明の実施形態の多心コネクタ光ファイバー測定装置を構成する測定部内の受光部の構成要素の位置関係を説明する図である。
【図４】本発明の実施形態の多心コネクタ光ファイバー測定装置を構成する測定部内の受光部に備えた多心光コネクタ用レセプタクルの構造を説明する図である。
【図５】本発明の実施形態の多心コネクタ光ファイバー測定装置を構成する測定部内の受光部に備えた多心光コネクタ用レセプタクルに多心コネクタ光ファイバーパッチコードを接続した場合の一例を説明する図である。
【図６】本発明の実施形態の多心コネクタ光ファイバー測定装置を構成する測定部内の受光部に備えた多心光コネクタ用レセプタクルに多心コネクタ光ファイバーパッチコードを接続した場合の一例を説明する図である。
【図７】本発明の実施形態の多心コネクタ光ファイバー測定装置を構成する測定部内の受光部に備えた多心光コネクタ用レセプタクルに多心コネクタ光ファイバーパッチコードを接続した場合の一例を説明する図である。
【図８】本発明の実施形態の多心コネクタ光ファイバー測定装置において計測を行う光と、光の受光領域との関係を説明する図である。
【図９】本発明の実施形態の多心コネクタ光ファイバー測定装置において照射される光の受光領域内の位置と、算出した光の位置との関係を説明する図である。
【図１０】本発明の実施形態の多心コネクタ光ファイバー測定装置において照射される光の受光領域内の位置と、算出した光の位置との別の関係を説明する図である。
【図１１】本発明の実施形態の多心コネクタ光ファイバー測定装置における処理手順を示したフローチャートである。
【図１２】本発明の実施形態の多心コネクタ光ファイバー測定装置において計測を行う光と、光の受光領域との別の関係を説明する図である。
【図１３】本発明の実施形態の多心コネクタ光ファイバー測定装置において照射される光の受光領域内の位置と、算出した光の位置との別の関係を説明する図である。
【図１４】本発明の実施形態の多心コネクタ光ファイバー測定装置において照射される光の受光領域内の大きさと算出した光の位置との関係の違いを説明する図である。
【図１５】従来の多心コネクタ光ファイバー測定装置の概略構成を示したブロック図である。
【発明を実施するための形態】
【００３１】
以下、本発明の実施形態について、図面を参照して説明する。図１は、本発明の実施形態における多心コネクタ光ファイバー測定装置の概略構成を示したブロック図である。多心コネクタ光ファイバー測定装置１００は、光源部１１０と測定部１２０とを含んで構成される。多心コネクタ光ファイバー測定装置１００も、従来の多心コネクタ光ファイバー測定装置と同様に、光源部１１０と測定部１２０との間に接続された測定対象の多心コネクタ光ファイバーパッチコード５００の極性タイプの確認（識別）と光パワーの計測（測定）とを同時に行う。
【００３２】
なお、多心コネクタ光ファイバーパッチコード５００は、複数の光ファイバー５１０をまとめて多心化し、両端に多心光コネクタを取り付けた光ファイバーケーブルである。以下の説明においては、多心コネクタ光ファイバーパッチコード５００の両端の多心光コネクタが、複数の光ファイバー５１０を一括して接続することができる構成のＭＰＯ（Ｍｕｌｔｉ−ｆｉｂｅｒ  Ｐｕｓｈ  Ｏｎ）コネクタであるものとして説明する。多心コネクタ光ファイバーパッチコード５００は、両端の多心光コネクタ（ＭＰＯコネクタ５０１およびＭＰＯコネクタ５０２）間のそれぞれの光ファイバーの結線によって極性が異なる複数のタイプ（例えば、Ａタイプ、Ｂタイプ、Ｃタイプなど）が存在する。例えば、Ａタイプの多心コネクタ光ファイバーパッチコード５００では、ＭＰＯコネクタ５０１とＭＰＯコネクタ５０２とを同じ方向に並べて見た場合に、両端の多心光コネクタ内のそれぞれの光ファイバー５１０のチャネルの配置が、同じ順番になっている。また、例えば、Ｂタイプの多心コネクタ光ファイバーパッチコード５００では、ＭＰＯコネクタ５０１とＭＰＯコネクタ５０２とを同じ方向に並べて見た場合に、両端の多心光コネクタにおけるそれぞれの光ファイバー５１０のチャネルの配置が、逆の順番になっている。また、例えば、Ｃタイプの多心コネクタ光ファイバーパッチコード５００では、ＭＰＯコネクタ５０１とＭＰＯコネクタ５０２とを同じ方向に並べて見た場合に、両端の多心光コネクタにおけるそれぞれの光ファイバー５１０のチャネルの配置が、隣接する２つのチャネルごとに逆の順番になっている。
【００３３】
光源部１１０は、測定対象の多心コネクタ光ファイバーパッチコード５００を構成するそれぞれの光ファイバー５１０のチャネルに、発光した光を順次入射させる光源である。測定部１２０は、光ファイバー５１０によって伝送された光に基づいて、測定対象の多心コネクタ光ファイバーパッチコード５００の極性タイプの確認（識別）と光パワーの計測（測定）とを行う測定部である。
【００３４】
ここで、多心コネクタ光ファイバー測定装置１００を構成する光源部１１０と測定部１２０とのそれぞれの構成について説明する。まず、多心コネクタ光ファイバー測定装置１００を構成する光源部１１０の構成につて説明する。図２は、本発明の実施形態の多心コネクタ光ファイバー測定装置１００を構成する光源部１１０の概略構成の一例を示したブロック図である。図２には、光源部１１０に備えた光源の数によって異なる２種類の構成を示している。より具体的には、図２の（ａ）には、複数の光源を備えた光源部１１０の概略構成の一例を示し、図２の（ｂ）には、１つの光源を備えた光源部１１０の概略構成の一例を示している。
【００３５】
図２の（ａ）に示した光源部１１０は、制御部１１１と、複数の光源１１２と、光ファイバーファンアウトコード１１３と、コネクタアダプタ１１４とを含んで構成される。制御部１１１は、多心コネクタ光ファイバーパッチコード５００によって光を伝送させる光ファイバー５１０のチャネルに対応したいずれか１つの光源１１２に光を発光させる。そして、制御部１１１は、光を発光させる光源１１２を順次切り替える。光源１１２のそれぞれは、多心コネクタ光ファイバーパッチコード５００内の対応する光ファイバー５１０のチャネルによって伝送させる光を発光する光源である。光源１１２は、例えば、ＬＥＤやレーザーダイオードなどによって構成される。光源１１２は、発光した光を対応する光ファイバーファンアウトコード１１３に入射させる。光ファイバーファンアウトコード１１３は、光源１１２から入射された光をコネクタアダプタ１１４側に伝送する。光ファイバーファンアウトコード１１３も、光ファイバーによって構成される。コネクタアダプタ１１４は、測定対象の多心コネクタ光ファイバーパッチコード５００の一端を接続するためのコネクタアダプタである。コネクタアダプタ１１４は、多心コネクタ光ファイバーパッチコード５００に取り付けられた多心光コネクタと嵌合するコネクタである。コネクタアダプタ１１４は、多心光コネクタ（図１に示した一例では、ＭＰＯコネクタ５０１）に嵌合する形状になっている。コネクタアダプタ１１４は、光ファイバーファンアウトコード１１３のそれぞれによって伝送された光を、接続された多心コネクタ光ファイバーパッチコード５００内の対応する光ファイバー５１０のチャネルの一端に出射する。
【００３６】
図２の（ｂ）に示した光源部１１０は、制御部１１１と、１つの光源１１２と、光ファイバーファンアウトコード１１３と、コネクタアダプタ１１４と、光スイッチ１１５とを含んで構成される。制御部１１１は、光源１１２に光を発光させる。光源１１２は、発光した光を光スイッチ１１５に入射させる。また、制御部１１１は、光源１１２から入射された光を出射する光ファイバーファンアウトコード１１３側の光路を、光スイッチ１１５に切り替えさせる。光スイッチ１１５は、入射した光をそのまま別の光路に切り替える光学スイッチである。光スイッチ１１５は、例えば、プリズムやマイクロミラーレンズを利用して、入射した光を出射する光路を切り替える。光スイッチ１１５は、制御部１１１からの制御に応じて、光源１１２から入射された光を出射する光路を切り替え、いずれか１つの光ファイバーファンアウトコード１１３が接続された光路に出射する。光ファイバーファンアウトコード１１３は、光スイッチ１１５から入射された光をコネクタアダプタ１１４側に伝送する。コネクタアダプタ１１４は、多心コネクタ光ファイバーパッチコード５００に取り付けられた多心光コネクタに嵌合し、光ファイバーファンアウトコード１１３のそれぞれによって伝送された光を、多心コネクタ光ファイバーパッチコード５００内の対応する光ファイバー５１０のチャネルの一端に出射する。
【００３７】
このような構成によって、光源部１１０は、光源１１２が発光した光を、コネクタアダプタ１１４に嵌合されたＭＰＯコネクタ５０１に配置されたいずれか１つの光ファイバー５１０に出射する。つまり、光源部１１０は、光源１１２が発光した光を、多心コネクタ光ファイバーパッチコード５００のいずれか１つの光ファイバー５１０のチャネルに入射させる。なお、図２には、光源１１２の数が異なる２種類の光源部１１０の構成を示した。しかし、光源部１１０は、従来の多心コネクタ光ファイバー測定装置を構成する光源部と同様である。従って、光源部１１０の構成は、図２に示した２種類の構成に限定されるものではなく、光源が発光した光を、測定対象の多心コネクタ光ファイバーパッチコード５００を構成する複数の光ファイバー５１０のチャネルの内、任意の１つの光ファイバー５１０のチャネルに入射させる構成であれば、いかなる構成であってもよい。
【００３８】
続いて、図１に戻って、多心コネクタ光ファイバー測定装置１００を構成する測定部１２０の構成につて説明する。測定部１２０は、受光部１２１と、信号処理部１２２と、表示部１２３とを含んで構成される。また、受光部１２１は、多心光コネクタ用レセプタクル１２１１と、分割型フォトダイオード（ＰＤ）１２１２とを含んで構成される。
【００３９】
多心光コネクタ用レセプタクル１２１１は、レセプタクル型のコネクタである。多心光コネクタ用レセプタクル１２１１は、多心コネクタ光ファイバーパッチコード５００に取り付けられた多心光コネクタ（図１に示した一例では、ＭＰＯコネクタ５０２）に嵌合する形状になっている。多心光コネクタ用レセプタクル１２１１は、ＭＰＯコネクタ５０２内に配置された光ファイバー５１０のフェルール端面と分割型フォトダイオード１２１２との間の距離を予め定めた距離に固定する。ＭＰＯコネクタ５０２は、多心光コネクタ用レセプタクル１２１１に嵌合された状態で、多心コネクタ光ファイバーパッチコード５００内のそれぞれの光ファイバー５１０のチャネルによって伝送された光を、フェルール端面から分割型フォトダイオード１２１２側に出射する。ここで、ＭＰＯコネクタ５０２内に配置された光ファイバー５１０のフェルール端面から分割型フォトダイオード１２１２側に出射される光は、ある程度の広がりをもった円形状の光として出射される。図１においては、ＭＰＯコネクタ５０２内に配置された光ファイバー５１０のフェルール端面から分割型フォトダイオード１２１２側に出射される円形状の光も模式的に示している。
【００４０】
分割型フォトダイオード１２１２は、入射した光を受光し、受光した光に応じた電気信号（光起電流）を信号処理部１２２に出力する光センサである。分割型フォトダイオード１２１２は、入射した光を受光する受光領域が、複数の領域に分割されている。例えば、分割型フォトダイオード１２１２は、受光領域が２分割や４分割にされている。分割型フォトダイオード１２１２は、多心光コネクタ用レセプタクル１２１１に嵌合されたＭＰＯコネクタ５０２に配置されたそれぞれの光ファイバー５１０のチャネルから出射された光を、分割されたそれぞれの受光領域で受光する。そして、分割型フォトダイオード１２１２は、分割されたそれぞれの受光領域ごとに、受光したそれぞれの光ファイバー５１０のチャネルの光に対応するそれぞれの電気信号を信号処理部１２２に出力する。
【００４１】
なお、分割型フォトダイオード１２１２の材質としては、光源部１１０に備えた光源１１２が発光する光の波長に応じて、シリコン（Ｓｉ）、インジウムガリウムヒ素（ＩｎＧａＡｓ）、ゲルマニウム（Ｇｅ）などが用いられている。
【００４２】
測定部１２０では、受光部１２１において、多心光コネクタ用レセプタクル１２１１と分割型フォトダイオード１２１２とは、予め定めた間隔だけ離れた位置関係で固定されている。図３は、本発明の実施形態の多心コネクタ光ファイバー測定装置１００を構成する測定部１２０内の受光部１２１の構成要素の位置関係を説明する図である。図３の（ａ）には、多心コネクタ光ファイバーパッチコード５００のＭＰＯコネクタ５０２が接続される側から見た多心光コネクタ用レセプタクル１２１１と分割型フォトダイオード１２１２との位置関係の一例を模式的に示している。また、図３の（ｂ）には、図３の（ａ）に示した多心光コネクタ用レセプタクル１２１１と分割型フォトダイオード１２１２とを上側から見た場合の位置関係の一例を模式的に示している。
【００４３】
受光部１２１では、図３（ａ）に示したように、多心光コネクタ用レセプタクル１２１１側から出射された光が分割型フォトダイオード１２１２の受光領域内に照射されるような位置関係で、多心光コネクタ用レセプタクル１２１１と分割型フォトダイオード１２１２とが固定されている。このとき、受光部１２１では、図３の（ｂ）に示したように、多心光コネクタ用レセプタクル１２１１側から出射された全ての光が、分割型フォトダイオード１２１２の受光領域内に照射されるような適切な距離Ｄだけ離れた位置に固定される。これにより、分割型フォトダイオード１２１２には、多心コネクタ光ファイバーパッチコード５００によって伝送され、多心光コネクタ用レセプタクル１２１１に嵌合された状態のＭＰＯコネクタ５０２に配置されたそれぞれの光ファイバー５１０のチャネルから出射された光が、距離Ｄの空間内で広がった円形状の空間光として入射される。
【００４４】
信号処理部１２２は、受光部１２１内の分割型フォトダイオード１２１２から出力されたそれぞれの受光領域の電気信号に基づいて、測定対象の多心コネクタ光ファイバーパッチコード５００の極性タイプの確認（識別）と光パワーの計測（測定）とを行う処理部である。信号処理部１２２は、例えば、ＣＰＵ（Ｃｅｎｔｒａｌ  Ｐｒｏｃｅｓｓｉｎｇ  Ｕｎｉｔ）などの処理装置と、処理装置を動作させるために必要なプログラムとデータとが記憶されたＲＯＭ（Ｒｅａｄ  Ｏｎｌｙ  Ｍｅｍｏｒｙ）やフラッシュメモリ（Ｆｌａｓｈ  Ｍｅｍｏｒｙ）や、データを一時的に記憶するＤＲＡＭ（Ｄｙｎａｍｉｃ  Ｒａｎｄｏｍ  Ａｃｃｅｓｓ  Ｍｅｍｏｒｙ）などの種々のメモリを含んで構成される。従って、測定部１２０において信号処理部１２２は、記憶されたプログラムを実行することによって機能する。信号処理部１２２は、分割型フォトダイオード１２１２から出力されたそれぞれの受光領域ごとの電気信号に基づいて、光源部１１０によって光源１１２が発光した光が入射されたいずれか１つの光ファイバー５１０のチャネルによって伝送されてきた光の光パワーを、分割型フォトダイオード１２１２の受光領域ごとに算出する。また、信号処理部１２２は、算出した分割型フォトダイオード１２１２の受光領域ごとの光パワーに基づいて、光源１１２が発光した光を伝送してきた光ファイバー５１０のＭＰＯコネクタ５０２内の配置を判定する。つまり、信号処理部１２２は、分割型フォトダイオード１２１２から出力されたそれぞれの受光領域の電気信号に基づいて、多心光コネクタ用レセプタクル１２１１に嵌合された測定対象の多心コネクタ光ファイバーパッチコード５００の極性タイプの確認（識別）を行う。また、信号処理部１２２は、算出した分割型フォトダイオード１２１２の受光領域ごとの光パワーに基づいて、光源１１２が発光した光が入射されたいずれか１つの光ファイバー５１０のチャネルによって伝送されてきた全体の光の光パワーを算出する。信号処理部１２２は、確認（識別）した多心コネクタ光ファイバーパッチコード５００の極性タイプの情報と、算出した光ファイバー５１０のチャネルによって伝送されてきた全体の光の光パワーの情報とを、表示部１２３に出力する。
【００４５】
表示部１２３は、測定部１２０における様々な情報を表す画像を表示する表示装置である。表示部１２３は、例えば、液晶ディスプレイ（Ｌｉｑｕｉｄ  Ｃｒｙｓｔａｌ  Ｄｉｓｐｌａｙ：ＬＣＤ）などの表示デバイスを含んで構成される。表示部１２３は、信号処理部１２２によって算出されたそれぞれの光ファイバー５１０のチャネルの光パワーと、信号処理部１２２によって確認（識別）された多心コネクタ光ファイバーパッチコード５００の極性タイプとの情報を表示する。これにより、多心コネクタ光ファイバー測定装置１００は、例えば、データセンターなどの設備において多心コネクタ光ファイバーパッチコード５００を敷設する作業者、つまり、多心コネクタ光ファイバー測定装置１００の使用者に、多心コネクタ光ファイバーパッチコード５００の極性タイプと光パワーの計測（測定）結果とを提示する。なお、図１に示した多心コネクタ光ファイバー測定装置１００では、表示部１２３が、多心コネクタ光ファイバー測定装置１００を構成する測定部１２０の内部に備えられている構成を示した。しかし、多心コネクタ光ファイバー測定装置１００において表示部１２３は、測定部１２０に備えた構成に限定されるものではない。つまり、表示部１２３は、測定部１２０の外部に接続される外部表示装置であってもよい。
【００４６】
なお、多心光コネクタ用レセプタクル１２１１に嵌合されるＭＰＯコネクタ５０２（光源部１１０をＭＰＯコネクタ５０２側に接続した場合には、ＭＰＯコネクタ５０１でもある）の形状には、様々な形状がある。例えば、複数の多心コネクタ光ファイバーパッチコード５００を数珠つなぎに接続する場合を考慮し、多心コネクタ光ファイバーパッチコード５００の光ファイバー５１０のチャネル同士が正しく接続されるように、対の形状になっている場合がある。より具体的には、例えば、ＭＰＯコネクタ内に配置された光ファイバー５１０のフェルール端面同士が正しい位置で対向するように、位置決めピンがあるオスタイプのＭＰＯコネクタと、位置決めピンが挿入される位置決め穴があるメスタイプのＭＰＯコネクタを嵌合する構成になっている場合がある。このため、多心光コネクタ用レセプタクル１２１１は、いずれのタイプのＭＰＯコネクタでも嵌合することができる構成となっている。
【００４７】
図４は、本発明の実施形態の多心コネクタ光ファイバー測定装置１００を構成する測定部１２０内の受光部１２１に備えた多心光コネクタ用レセプタクル１２１１の構造を説明する図である。図４の（ａ）には、多心コネクタ光ファイバーパッチコード５００に取り付けられたＭＰＯコネクタ５０２が嵌合される側の多心光コネクタ用レセプタクル１２１１の形状の一例を示している。また、図４の（ｂ）には、多心コネクタ光ファイバーパッチコード５００内のそれぞれの光ファイバー５１０のチャネルによって伝送された光を、分割型フォトダイオード１２１２側に出射する側の多心光コネクタ用レセプタクル１２１１の形状の一例を示している。なお、図４の（ａ）に示したＭＰＯコネクタ５０２が嵌合される側の多心光コネクタ用レセプタクル１２１１の形状の一例では、ＭＰＯコネクタ５０２が逆向きで嵌合されてしまうのを防止するためのキー溝Ｇも示している。
【００４８】
また、図４の（ｃ）には、多心光コネクタ用レセプタクル１２１１に、２本の位置決めピンＰがあるオスタイプのＭＰＯコネクタ５０２を嵌合させた場合の一例を模式的に示している。また、図４の（ｄ）には、多心光コネクタ用レセプタクル１２１１に、位置決めピンＰが挿入される位置決め穴ＨがあるメスタイプのＭＰＯコネクタ５０２を嵌合させた場合の一例を模式的に示している。なお、図４の（ｃ）および図４の（ｄ）には、多心コネクタ光ファイバーパッチコード５００の光ファイバー５１０のチャネルによって伝送された光が、多心光コネクタ用レセプタクル１２１１に嵌合された状態のＭＰＯコネクタ５０２のフェルール端面から出射され、多心光コネクタ用レセプタクル１２１１と分割型フォトダイオード１２１２との間の空間内で広がった円形状の空間光Ｌとして分割型フォトダイオード１２１２に照射されている様子も示している。
【００４９】
図４の（ａ）および図４の（ｂ）に示したように、多心光コネクタ用レセプタクル１２１１の開口部Ｏは、ＭＰＯコネクタ５０２（ＭＰＯコネクタ５０１であってもよい）のフェルール端面から出射される光ファイバー５１０の各チャネルの光を遮ることがないような大きさおよび形状の開口部となっている。例えば、多心光コネクタ用レセプタクル１２１１のフェルール突き当て部分の開口部Ｏは、ＭＰＯコネクタ５０２が、１２心×４列の４８心ＭＰＯコネクタである場合であっても、光ファイバー５１０の各チャネルの光を遮ることがないような大きさおよび形状の開口部となっている。また、図４の（ｃ）に示したように、多心光コネクタ用レセプタクル１２１１の開口部Ｏは、光ファイバー５１０の各チャネルのみではなく、オスタイプのＭＰＯコネクタ５０２（ＭＰＯコネクタ５０１であってもよい）に備えた２本の位置決めピンＰが開口部Ｏの領域内に収まるような大きさおよび形状の開口部となっている。これにより、多心光コネクタ用レセプタクル１２１１では、ＭＰＯコネクタ５０２がオスタイプであってもメスタイプであっても、多心光コネクタ用レセプタクル１２１１のフェルール突き当て部分にＭＰＯコネクタ５０２のフェルール端面を突き当てた状態が同様になる。図４の（ｃ）に示した一例では、オスタイプのＭＰＯコネクタ５０２に備えた２本の位置決めピンＰが開口部Ｏの領域内で多心光コネクタ用レセプタクル１２１１を貫通している様子を示している。そして、図４の（ｃ）に示した一例では、オスタイプのＭＰＯコネクタ５０２のフェルール端面が、多心光コネクタ用レセプタクル１２１１におけるフェルール突き当て部分に、図４の（ｄ）に示したメスタイプのＭＰＯコネクタ５０２（ＭＰＯコネクタ５０１であってもよい）を嵌合させた場合と同様の状態にまで突き当てられている様子を示している。
【００５０】
ここで、様々な極性タイプの多心コネクタ光ファイバーパッチコード５００を測定部１２０（より具体的には、受光部１２１に備えた多心光コネクタ用レセプタクル１２１１）に嵌合させた場合の一例について説明する。図５〜図７は、本発明の実施形態の多心コネクタ光ファイバー測定装置１００を構成する測定部１２０内の受光部１２１に備えた多心光コネクタ用レセプタクル１２１１に多心コネクタ光ファイバーパッチコード５００を接続した場合の一例を説明する図である。図５〜図７のそれぞれには、多心コネクタ光ファイバーパッチコード５００に取り付けられたＭＰＯコネクタ５０２を嵌合した状態の多心光コネクタ用レセプタクル１２１１の開口部Ｏを、分割型フォトダイオード１２１２側から見た場合の一例を示している。また、図５〜図７のそれぞれには、嵌合されたＭＰＯコネクタ５０２から出射される光の大きさを、分割型フォトダイオード１２１２側から見た場合の一例を示している。
【００５１】
まず、図５に示した一例について説明する。図５は、ＭＰＯコネクタ５０２が１２心ＭＰＯコネクタである場合の一例である。図５の（ａ−１）には、２本の位置決めピンＰがあるオスタイプのＭＰＯコネクタ５０２を嵌合した多心光コネクタ用レセプタクル１２１１の開口部Ｏの状態を示している。なお、図５の（ａ−１）において開口部Ｏ内に示した数字は、多心コネクタ光ファイバーパッチコード５００を構成するそれぞれの光ファイバー５１０のチャネルの番号を示している。また、図５の（ａ−２）には、嵌合されたオスタイプのＭＰＯコネクタ５０２から出射される光の多心光コネクタ用レセプタクル１２１１の開口部Ｏでの大きさを示している。図５の（ａ−２）には、光ファイバー５１０の１チャネル、６チャネル、および１２チャネルによって伝送された光が出射されている状態を示している。
【００５２】
なお、上述したように、多心コネクタ光ファイバー測定装置１００において光源部１１０は、多心コネクタ光ファイバーパッチコード５００を測定するときに、多心コネクタ光ファイバーパッチコード５００を構成する複数の光ファイバー５１０のチャネルの内、いずれか１つの光ファイバー５１０のチャネルに、光源１１２が発光した光を入射させる。従って、多心コネクタ光ファイバーパッチコード５００は、光ファイバー５１０のそれぞれのチャネルごとに、光源部１１０によって入射された光を伝送する。このため、図５の（ａ−２）では、光ファイバー５１０の１チャネルと、６チャネルと、１２チャネルとの３つのチャネルに同時に光が出射されている状態を示しているが、実際に多心コネクタ光ファイバー測定装置１００が多心コネクタ光ファイバーパッチコード５００を測定しているときには、１つのチャネルごとに光が伝送されるため、同時に複数のチャネルから光が出射されることはない。
【００５３】
また、図５の（ｂ−１）には、２つの位置決め穴ＨがあるメスタイプのＭＰＯコネクタ５０２を嵌合した多心光コネクタ用レセプタクル１２１１の開口部Ｏの状態を示している。なお、図５の（ｂ−１）において開口部Ｏ内に示した数字も、図５の（ａ−１）において開口部Ｏ内に示した数字と同様に、多心コネクタ光ファイバーパッチコード５００を構成するそれぞれの光ファイバー５１０のチャネルの番号を示している。また、図５の（ｂ−２）には、嵌合されたメスタイプのＭＰＯコネクタ５０２から出射される光の多心光コネクタ用レセプタクル１２１１の開口部Ｏでの大きさを示している。図５の（ｂ−２）においても、図５の（ａ−２）と同様に、光ファイバー５１０の１チャネル、６チャネル、および１２チャネルによって伝送された光が出射されている状態を示している。なお、図５の（ｂ−２）においても、図５の（ａ−２）と同様の理由によって、実際に多心コネクタ光ファイバー測定装置１００が多心コネクタ光ファイバーパッチコード５００を測定しているときには、１つのチャネルごとに光が伝送されるため、同時に複数のチャネルから光が出射されることはない。
【００５４】
続いて、図６に示した一例について説明する。図６は、ＭＰＯコネクタ５０２が、１２心×２列の２４心ＭＰＯコネクタである場合の一例である。図６の（ａ−１）には、２本の位置決めピンＰがあるオスタイプのＭＰＯコネクタ５０２を嵌合した多心光コネクタ用レセプタクル１２１１の開口部Ｏの状態を示している。また、図６の（ａ−２）には、嵌合されたオスタイプのＭＰＯコネクタ５０２から出射される光の多心光コネクタ用レセプタクル１２１１の開口部Ｏでの大きさを示している。図６の（ａ−２）には、１列目（上段）の光ファイバー５１０の１チャネル、６チャネル、および１２チャネルと、２列目（下段）の光ファイバー５１０の１チャネル、６チャネル、および１２チャネルとによって伝送された光が出射されている状態を示している。
【００５５】
また、図６の（ｂ−１）には、２つの位置決め穴ＨがあるメスタイプのＭＰＯコネクタ５０２を嵌合した多心光コネクタ用レセプタクル１２１１の開口部Ｏの状態を示している。また、図６の（ｂ−２）には、嵌合されたメスタイプのＭＰＯコネクタ５０２から出射される光の多心光コネクタ用レセプタクル１２１１の開口部Ｏでの大きさを示している。図６の（ｂ−１）においても、図６の（ａ−２）と同様に、１列目（上段）の光ファイバー５１０の１チャネル、６チャネル、および１２チャネルと、２列目（下段）の光ファイバー５１０の１チャネル、６チャネル、および１２チャネルとによって伝送された光が出射されている状態を示している。
【００５６】
なお、図６の（ａ−２）および図６の（ｂ−２）においても、図５において説明したのと同様の理由によって、実際に多心コネクタ光ファイバー測定装置１００が多心コネクタ光ファイバーパッチコード５００を測定しているときには、１つのチャネルごとに光が伝送されるため、同時に複数のチャネルから光が出射されることはない。
【００５７】
続いて、図７に示した一例について説明する。図７は、ＭＰＯコネクタ５０２が、１２心×４列の４８心ＭＰＯコネクタである場合の一例である。図７の（ａ−１）には、２本の位置決めピンＰがあるオスタイプのＭＰＯコネクタ５０２を嵌合した多心光コネクタ用レセプタクル１２１１の開口部Ｏの状態を示している。また、図７の（ａ−２）には、嵌合されたオスタイプのＭＰＯコネクタ５０２から出射される光の多心光コネクタ用レセプタクル１２１１の開口部Ｏでの大きさを示している。図７の（ａ−２）には、それぞれの列の光ファイバー５１０の１チャネル、６チャネル、および１２チャネルによって伝送された光が出射されている状態を示している。
【００５８】
また、図７の（ｂ−１）には、２つの位置決め穴ＨがあるメスタイプのＭＰＯコネクタ５０２を嵌合した多心光コネクタ用レセプタクル１２１１の開口部Ｏの状態を示している。また、図７の（ｂ−２）には、嵌合されたメスタイプのＭＰＯコネクタ５０２から出射される光の多心光コネクタ用レセプタクル１２１１の開口部Ｏでの大きさを示している。図７の（ｂ−１）においても、図７の（ａ−２）と同様に、それぞれの列の光ファイバー５１０の１チャネル、６チャネル、および１２チャネルによって伝送された光が出射されている状態を示している。
【００５９】
なお、図７の（ａ−２）および図７の（ｂ−２）においても、図５において説明したのと同様の理由によって、実際に多心コネクタ光ファイバー測定装置１００が多心コネクタ光ファイバーパッチコード５００を測定しているときには、１つのチャネルごとに光が伝送されるため、同時に複数のチャネルから光が出射されることはない。
【００６０】
このような構成によって、測定部１２０は、多心光コネクタ用レセプタクル１２１１に嵌合されたＭＰＯコネクタ５０２に配置されたそれぞれの光ファイバー５１０によって伝送されてきた光に基づいて、測定対象の多心コネクタ光ファイバーパッチコード５００の極性タイプの確認（識別）と光パワーの計測（測定）とを同時に行う。
【００６１】
次に、多心コネクタ光ファイバー測定装置１００において測定対象の多心コネクタ光ファイバーパッチコード５００の極性タイプの確認（識別）と光パワーの計測（測定）とを行う際の処理について説明する。図８は、本発明の実施形態の多心コネクタ光ファイバー測定装置１００において計測を行う光と、光の受光領域との関係を説明する図である。なお、図８は、分割型フォトダイオード１２１２の受光領域が４分割されている構成である場合の一例である。図８の（ａ）には、多心コネクタ光ファイバーパッチコード５００に取り付けられた１２心ＭＰＯコネクタ５０２と、分割型フォトダイオード１２１２の受光領域との位置関係を、多心光コネクタ用レセプタクル１２１１側から見た場合の一例を模式的に示している。また、図８の（ｂ）には、図８の（ａ）に示した１２心ＭＰＯコネクタ５０２と分割型フォトダイオード１２１２との位置関係のときに、多心コネクタ光ファイバーパッチコード５００によって伝送されてきた光が照射される分割型フォトダイオード１２１２の受光領域の一例を模式的に示している。
【００６２】
なお、図８の（ａ）では、多心光コネクタ用レセプタクル１２１１を省略し、１２心ＭＰＯコネクタ５０２のみを示している。また、図８の（ａ）に示した１２心ＭＰＯコネクタ５０２では、多心光コネクタ用レセプタクル１２１１に備えたキー溝Ｇに嵌合されるキー突起Ｋを併せて示している。
【００６３】
図８の（ａ）に示したように、分割型フォトダイオード１２１２は、受光領域Ａ、受光領域Ｂ、受光領域Ｃ、および受光領域Ｄの４つの受光領域に分割されている。図８の（ａ）では、１２心ＭＰＯコネクタ５０２に配置されたそれぞれの光ファイバー５１０のチャネルが、分割型フォトダイオード１２１２における上側の受光領域（受光領域Ａおよび受光領域Ｂ）と、下側の受光領域（受光領域Ｃおよび受光領域Ｄ）との境界線部分に位置している。この場合、多心コネクタ光ファイバーパッチコード５００によって伝送され、多心光コネクタ用レセプタクル１２１１に嵌合された状態の１２心ＭＰＯコネクタ５０２から出射されるそれぞれの光ファイバー５１０のチャネルの光は、図８の（ｂ）に示したように、分割型フォトダイオード１２１２において、光ファイバー５１０のそれぞれのチャネルに対応する上側の受光領域と下側の受光領域とのそれぞれの受光領域に照射される。つまり、それぞれの光ファイバー５１０のチャネルから出射された光は、多心光コネクタ用レセプタクル１２１１に嵌合された１２心ＭＰＯコネクタ５０２におけるそれぞれの光ファイバー５１０のチャネルの配置に応じて、分割型フォトダイオード１２１２における上側の受光領域と下側の受光領域との境界線に沿って少しずつずれた受光領域に照射される。
【００６４】
ここで、図５〜図７に示したように、嵌合されたＭＰＯコネクタ５０２から出射される光の多心光コネクタ用レセプタクル１２１１の開口部Ｏでの大きさは、対応する光ファイバー５１０のチャネルの周囲にわずかに広がった大きさである。しかし、受光部１２１では、上述したように、多心光コネクタ用レセプタクル１２１１と分割型フォトダイオード１２１２とが距離Ｄだけ離れた位置に固定されている。通常、多心光コネクタ用レセプタクル１２１１の開口部ＯにおいてＭＰＯコネクタ５０２に配置されたそれぞれの光ファイバー５１０のチャネルから出射された光は、多心光コネクタ用レセプタクル１２１１と分割型フォトダイオード１２１２との間の距離Ｄの空間において、ガウス分布で広がっていく。このため、それぞれの光ファイバー５１０のチャネルから出射された光は、多心光コネクタ用レセプタクル１２１１と分割型フォトダイオード１２１２との間の距離Ｄの空間内で広がった円形状の空間光Ｌとして、分割型フォトダイオード１２１２に照射される。
【００６５】
図８の（ｂ）には、光ファイバー５１０の１チャネルによって伝送された光が広がった空間光Ｌ１、６チャネルによって伝送された光が広がった空間光Ｌ６、および１２チャネルによって伝送された光が広がった空間光Ｌ１２のそれぞれが、分割型フォトダイオード１２１２の受光領域に照射されている状態を示している。
【００６６】
なお、図８の（ｂ）に示したそれぞれの光ファイバー５１０のチャネルの空間光Ｌが照射されている受光領域の範囲は、それぞれの光のエネルギー密度値が、ピークエネルギー密度値に対して１／ｅ２となった範囲を示している。従って、それぞれの光ファイバー５１０のチャネルから出射された光は、図８の（ｂ）に示した対応する受光領域の範囲外にも広がって、分割型フォトダイオード１２１２のそれぞれの受光領域に照射される。つまり、それぞれの光ファイバー５１０のチャネルから出射された光は、分割型フォトダイオード１２１２において分割された４つの受光領域（受光領域Ａ、受光領域Ｂ、受光領域Ｃ、および受光領域Ｄ）の全体に照射されている。
【００６７】
分割型フォトダイオード１２１２は、分割された４つの受光領域（受光領域Ａ、受光領域Ｂ、受光領域Ｃ、および受光領域Ｄ）のそれぞれで受光した光の光パワーに応じたそれぞれの電気信号（光起電流）を信号処理部１２２に出力する。
【００６８】
そして、信号処理部１２２は、分割型フォトダイオード１２１２から出力されたそれぞれの受光領域ごとの電気信号に基づいて、測定対象の多心コネクタ光ファイバーパッチコード５００の極性タイプの確認（識別）と光パワーの計測（測定）とを行う。このとき、信号処理部１２２は、分割型フォトダイオード１２１２から出力されたそれぞれの受光領域の光起電流を、電圧信号に変換（電流−電圧変換）して、さらに増幅する。その後、信号処理部１２２は、増幅した電圧信号をアナログ−デジタル変換（ＡＤ変換）してデジタル信号に変換することによって、分割型フォトダイオード１２１２から出力されたそれぞれの受光領域に対応する光パワー値を得る。そして、信号処理部１２２は、それぞれの受光領域に対応する光パワー値に基づいて、測定部１２０に接続された測定対象の多心コネクタ光ファイバーパッチコード５００の極性タイプの確認（識別）を行う。また、信号処理部１２２は、それぞれの受光領域に対応する光パワー値に基づいて、測定部１２０に接続された測定対象の多心コネクタ光ファイバーパッチコード５００に備えたそれぞれの光ファイバー５１０のチャネルによって伝送されてきた光の光パワーを算出する。
【００６９】
ここで、信号処理部１２２による多心コネクタ光ファイバーパッチコード５００の極性タイプの確認（識別）方法と、それぞれの光ファイバー５１０のチャネルによって伝送されてきた光の光パワーの算出方法について説明する。以下の説明では、分割型フォトダイオード１２１２が、図８に示した構成である場合について説明する。つまり、分割型フォトダイオード１２１２の受光領域が、受光領域Ａ、受光領域Ｂ、受光領域Ｃ、および受光領域Ｄの４つの受光領域に分割されている構成である場合について説明する。
【００７０】
信号処理部１２２は、上述したように、分割型フォトダイオード１２１２から出力されたそれぞれの受光領域ごとの光起電流から、それぞれの受光領域に対応する光パワー値を得る。ここでは、信号処理部１２２が、受光領域Ａに対応する光パワー値Ｐａ、受光領域Ｂに対応する光パワー値Ｐｂ、受光領域Ｃに対応する光パワー値Ｐｃ、および受光領域Ｄに対応する光パワー値Ｐｄを得るものとする。
【００７１】
信号処理部１２２は、分割型フォトダイオード１２１２のそれぞれの受光領域に対応するそれぞれの光パワー値から、多心光コネクタ用レセプタクル１２１１に嵌合された状態のＭＰＯコネクタ５０２から出射された光の開口部Ｏにおける２次元の位置を算出する。つまり、信号処理部１２２は、開口部Ｏにおける光の出射位置の２次元の座標（Ｘ，Ｙ）を算出する。より具体的には、信号処理部１２２は、下式（１）によって、開口部Ｏにおける光の出射位置のＸ座標を算出し、下式（２）によって、開口部Ｏにおける光の出射位置のＹ座標を算出する。
【００７２】
Ｘ＝［（Ｐａ＋Ｐｄ）−（Ｐｂ＋Ｐｃ）］／（Ｐａ＋Ｐｃ＋Ｐｂ＋Ｐｄ）
・・・（１）
【００７３】
Ｙ＝［（Ｐａ＋Ｐｂ）−（Ｐｃ＋Ｐｄ）］／（Ｐａ＋Ｐｂ＋Ｐｃ＋Ｐｄ）
・・・（２）
【００７４】
なお、測定対象の多心コネクタ光ファイバーパッチコード５００に取り付けられたＭＰＯコネクタ５０２が、図８に示したような１２心ＭＰＯコネクタ５０２である、つまり、それぞれの光ファイバー５１０のチャネルがＭＰＯコネクタ５０２内に１列に配置されていることがわかっている場合、信号処理部１２２は、上式（２）による開口部Ｏにおける光の出射位置のＹ座標の算出を行わなくてもよい。つまり、信号処理部１２２は、上式（１）による開口部Ｏにおける光の出射位置のＸ座標の算出のみを行ってもよい。
【００７５】
また、信号処理部１２２は、分割型フォトダイオード１２１２のそれぞれの受光領域に対応するそれぞれの光パワー値から、下式（３）によって、光ファイバー５１０のチャネルによって伝送されてきた光の全体の光パワー値Ｐｃｈを算出する。
【００７６】
Ｐｃｈ＝Ｐａ＋Ｐｂ＋Ｐｃ＋Ｐｄ      ・・・（３）
【００７７】
なお、多心コネクタ光ファイバー測定装置１００が、ＭＰＯコネクタ５０２内にそれぞれの光ファイバー５１０のチャネルが１列に配置されている多心コネクタ光ファイバーパッチコード５００のみに対応している場合、分割型フォトダイオード１２１２は、受光領域が２分割されている構成であってもよい。この場合、図８に示した一例の受光領域Ａと受光領域Ｄとを同じ受光領域とし、受光領域Ｂと受光領域Ｃとを同じ受光領域として上式（１）および上式（３）に適用することによって、上述した受光領域が４分割されている構成の分割型フォトダイオード１２１２における考え方と同様に考えることができる。
【００７８】
信号処理部１２２は、光源部１１０がそれぞれの光ファイバー５１０のチャネルに光を入射させるごとに、上式（１）および上式（２）による開口部Ｏにおける光の出射位置の２次元座標（Ｘ，Ｙ）の算出と、上式（３）による伝送されてきた光の光パワー値Ｐｃｈの算出とを繰り返す。例えば、多心光コネクタ用レセプタクル１２１１に嵌合されたＭＰＯコネクタ５０２が、図８に示した１２心ＭＰＯコネクタ５０２である場合、信号処理部１２２は、開口部Ｏにおける光の出射位置の２次元座標（Ｘ，Ｙ）の算出と、伝送されてきた光の光パワー値Ｐｃｈの算出とを、１２回繰り返す。これにより、信号処理部１２２は、多心光コネクタ用レセプタクル１２１１に嵌合されたＭＰＯコネクタ５０２に配置された全ての光ファイバー５１０のチャネルに対して、開口部Ｏにおける光の出射位置の２次元座標（Ｘ，Ｙ）および光パワー値Ｐｃｈを算出する。なお、信号処理部１２２は、算出した開口部Ｏにおける光の出射位置の２次元座標（Ｘ，Ｙ）と伝送されてきた光の光パワー値Ｐｃｈとを紐付けて、例えば、ＤＲＡＭなどのメモリに一時的に記憶しておく。
【００７９】
そして、信号処理部１２２は、光を入射させた光ファイバー５１０のチャネルの情報と、算出したそれぞれの光ファイバー５１０のチャネルの光の出射位置の２次元座標（Ｘ，Ｙ）とを比較することによって、多心コネクタ光ファイバーパッチコード５００の極性タイプを確認（識別）する。つまり、信号処理部１２２は、測定対象の多心コネクタ光ファイバーパッチコード５００の極性タイプが、Ａタイプ、Ｂタイプ、またはＣタイプのいずれのタイプであるかを確認（識別）する。そして、信号処理部１２２は、算出した光の出射位置の２次元座標（Ｘ，Ｙ）に紐付けられている光パワー値Ｐｃｈを、それぞれの光ファイバー５１０のチャネルの光パワーを計測（測定）した結果とする。
【００８０】
ここで、信号処理部１２２が行う多心コネクタ光ファイバーパッチコード５００の極性タイプを確認（識別）するより具体的な方法について説明する。なお、以下の説明においては、説明を容易にするため、それぞれの光ファイバー５１０のチャネルのＸ方向の位置を確認（識別）する場合の例を説明する。なお、それぞれの光ファイバー５１０のチャネルのＹ方向の位置を確認（識別）する方法は、以下に説明するＸ方向の位置を確認（識別）する方法と同様に考えることができる。
【００８１】
信号処理部１２２は、分割型フォトダイオード１２１２の受光領域と、信号処理部１２２が算出した開口部Ｏにおける光の出射位置のＸ座標との関係に基づいて、多心コネクタ光ファイバーパッチコード５００の極性タイプを確認（識別）する。図９は、本発明の実施形態の多心コネクタ光ファイバー測定装置１００において照射される光（空間光Ｌ）の受光領域内の位置と、信号処理部１２２が算出した光の位置（光の出射位置のＸ座標）との関係を説明する図である。図９に示した空間光Ｌの受光領域内の位置と、光の出射位置のＸ座標との関係は、受光領域の直径φが５ｍｍで、受光領域が４分割された構成の分割型フォトダイオード１２１２の実測値から算出した一例である。図９には、多心コネクタ光ファイバーパッチコード５００におけるそれぞれの光ファイバー５１０のチャネルの分割型フォトダイオード１２１２内の実際の位置と、信号処理部１２２が算出した光の出射位置のＸ座標との関係を示している。図９では、それぞれの光ファイバー５１０のチャネルの分割型フォトダイオード１２１２内のＸ方向の実際の位置（Ｘ方向位置（ｍｍ））をＸ軸に示し、信号処理部１２２が算出した光の出射位置のＸ座標をＹ軸に示している。なお、図９においては、信号処理部１２２が算出した光の出射位置のＸ座標を、−１〜＋１までの間の値で表した（規格化した）Ｘ方向位置信号（ａｂｕ）として示している。また、図９においては、それぞれの光ファイバー５１０のチャネルの番号（チャネル番号）を併せて示している。
【００８２】
図９に示したように、Ｘ方向位置信号は、光ファイバー５１０のチャネル番号に対して、−１から＋１までの間で単調増加する特性を持っている。この図９に示したＸ方向位置信号の特性は、多心コネクタ光ファイバーパッチコード５００がＡタイプである場合の特性である。なお、図９に示した特性では、それぞれの光ファイバー５１０のチャネルにおける分割型フォトダイオード１２１２内のＸ方向位置は、−１．３７５ｍｍ〜＋１．３７５ｍｍまでの間の位置となっている。これは、それぞれの光ファイバー５１０のチャネルの間隔（ピッチ）が、０．２５ｍｍ（＝２５０μｍ）であるためである。
【００８３】
なお、多心コネクタ光ファイバーパッチコード５００がＢタイプである場合、Ｘ方向位置信号の特性は、図９に示したＸ方向位置信号の特性とは逆に、単調減少する特性となる。しかし、この特性を、図９に示したＸ方向位置信号の特性と同様に単調増加するように並べ替えると、対応するチャネル番号の順番が逆になる（図１０の（ａ）参照）。同様に、また、多心コネクタ光ファイバーパッチコード５００がＣタイプである場合、Ｘ方向位置信号の特性を図９に示したＸ方向位置信号の特性と同様に単調増加するように並べ替えると、対応するチャネル番号の順番が、隣接する２つのチャネルごとに逆になる（図１０の（ｂ）参照。
【００８４】
信号処理部１２２は、全ての光ファイバー５１０のチャネルに対して、開口部Ｏにおける光の出射位置のＸ座標の算出が完了すると、図９に示したような特性を確認することができる。なお、信号処理部１２２は、全ての光ファイバー５１０のチャネルに対して、開口部Ｏにおける光の出射位置のＹ座標の算出が完了すると、図９および図１０に示したＸ方向の特性と同様に表されるＹ方向の特性（Ｙ方向位置信号（ａｂｕ））を確認することができる。これにより、信号処理部１２２は、ＭＰＯコネクタ５０２に配置された全ての光ファイバー５１０のチャネルの開口部Ｏにおける光の出射位置の２次元座標（Ｘ，Ｙ）の算出が完了した後、光を入射させた光ファイバー５１０のチャネルの情報と、Ｘ方向位置信号およびＹ方向位置信号の大きさによって表される特性（図９および図１０）とを対比する。これにより、信号処理部１２２は、多心コネクタ光ファイバーパッチコード５００の極性タイプを確認（識別）することができる。
【００８５】
なお、図９および図１０では、Ｘ方向位置信号が単調増加するように並べ替えることによって、信号処理部１２２が多心コネクタ光ファイバーパッチコード５００の極性タイプを確認（識別）する場合を説明した。しかし、多心コネクタ光ファイバーパッチコード５００の極性タイプを確認（識別）する際に行うＸ方向位置信号の並べ替えは、Ｘ方向位置信号が単調減少するようにしてもよい。この場合でも、図９および図１０の説明と同様に考えることによって、信号処理部１２２は、多心コネクタ光ファイバーパッチコード５００の極性タイプを確認（識別）することができる。
【００８６】
なお、図９および図１０には、Ｘ方向位置信号の特性を示したが、Ｙ方向位置信号の特性も同様に考えることができる。これにより、多心コネクタ光ファイバーパッチコード５００が、１２心×２列の２４心、１２心×４列の４８心であっても、測定対象の多心コネクタ光ファイバーパッチコード５００の極性タイプを確認（識別）することができる。
【００８７】
なお、測定部１２０では、受光部１２１において多心光コネクタ用レセプタクル１２１１は、上述したように、多心コネクタ光ファイバーパッチコード５００に取り付けられたＭＰＯコネクタ５０２に嵌合する形状になっているが、ＭＰＯコネクタ５０２内に配置された光ファイバー５１０のフェルール端面は常に同じ位置に固定されるとは限らない。これは、多心光コネクタ用レセプタクル１２１１では、位置決めピンＰのような構造によってＭＰＯコネクタ５０２を固定するのではなく、ＭＰＯコネクタ５０２と多心光コネクタ用レセプタクル１２１１との形状のみによってＭＰＯコネクタ５０２を固定する構造になっているためである。このため、例えば、位置決めピンＰと位置決め穴Ｈとを用いてＭＰＯコネクタ同士を固定した場合には、ＭＰＯコネクタ５０２のフェルール端面同士のずれが０．５μｍ程度であるのに対して、多心光コネクタ用レセプタクル１２１１を用いた固定では、ＭＰＯコネクタ５０２のフェルール端面が１００μｍ程度ずれることもある。多心光コネクタ用レセプタクル１２１１におけるＭＰＯコネクタ５０２のずれは、信号処理部１２２が算出する開口部Ｏにおける光の出射位置の２次元の座標（Ｘ，Ｙ）がばらつく要因となる。
【００８８】
しかしながら、たとえ多心光コネクタ用レセプタクル１２１１においてＭＰＯコネクタ５０２のフェルール端面がずれたとしても、そのずれは、全体的に同じ方向で同じ距離である。このため、分割型フォトダイオード１２１２の受光領域に照射されるそれぞれの空間光Ｌの中心位置や範囲は、全体的に同じ方向に同じ距離だけずれるのみである。つまり、多心光コネクタ用レセプタクル１２１１に嵌合したＭＰＯコネクタ５０２のフェルール端面がずれたとしても、多心光コネクタ用レセプタクル１２１１の開口部Ｏにおける光の出射位置や、分割型フォトダイオード１２１２の受光領域における空間光Ｌの照射位置の相対的な位置関係には変わりはない。従って、多心光コネクタ用レセプタクル１２１１に嵌合したＭＰＯコネクタ５０２のフェルール端面がずれたとしても、信号処理部１２２は、図９および図１０に示したＸ方向の特性と同様の特性を確認することができる。なお、信号処理部１２２が算出する光パワー値Ｐｃｈは、分割型フォトダイオード１２１２のそれぞれの受光領域に対応するそれぞれの光パワー値の合計によって算出するため、受光領域に照射されるそれぞれの空間光Ｌの中心位置や範囲のずれには影響されずに、同じ光パワー値Ｐｃｈを算出することができる。
【００８９】
次に、多心コネクタ光ファイバー測定装置１００において測定対象の多心コネクタ光ファイバーパッチコード５００の極性タイプの確認（識別）と光パワーの計測（測定）とを行う全体の動作について説明する。図１１は、本発明の実施形態の多心コネクタ光ファイバー測定装置１００における光源部１１０および測定部１２０の処理手順を示したフローチャートである。なお、以下の説明においては、測定対象の多心コネクタ光ファイバーパッチコード５００が、１２心の多心コネクタ光ファイバーパッチコード５００であるものとして説明する。また、以下の説明においては、分割型フォトダイオード１２１２の受光領域が４分割されている構成であるものとして説明する。
【００９０】
多心コネクタ光ファイバー測定装置１００における多心コネクタ光ファイバーパッチコード５００の測定は、光源部１１０と測定部１２０との間に測定対象の多心コネクタ光ファイバーパッチコード５００が接続されている状態で開始する。つまり、多心コネクタ光ファイバー測定装置１００は、多心コネクタ光ファイバーパッチコード５００の一端に取り付けられたＭＰＯコネクタ５０１が光源部１１０のコネクタアダプタ１１４に嵌合され、他端に取り付けられたＭＰＯコネクタ５０２が測定部１２０の多心光コネクタ用レセプタクル１２１１に嵌合されている状態で、多心コネクタ光ファイバーパッチコード５００の測定を開始する。
【００９１】
まず、図１１に示したフローチャートを用いて、多心コネクタ光ファイバー測定装置１００を構成する光源部１１０の動作について説明する。なお、光源部１１０の構成は、図２の（ａ）に示した、複数の光源を備えた構成であるものとして説明する。
【００９２】
多心コネクタ光ファイバー測定装置１００における測定対象の多心コネクタ光ファイバーパッチコード５００の測定を開始すると、光源部１１０に備えた制御部１１１は、まず、測定部１２０に、測定の開始を表す測定開始信号を送信する（ステップＳ１００）。これにより、測定部１２０は、多心コネクタ光ファイバーパッチコード５００の極性タイプの確認（識別）と光パワーの計測（測定）とを開始する。なお、本発明においては、光源部１１０が測定部１２０に測定開始信号を送信する方法や形式に関しては、特に規定しない。例えば、光源部１１０は、測定の開始を表すレベル信号によって、測定部１２０に測定開始信号を送信してもよい。
【００９３】
続いて、制御部１１１は、光ファイバー５１０のチャネル番号ｎをｎ＝１に初期化する（ステップＳ１１０）。
【００９４】
続いて、制御部１１１は、光を入射させる光ファイバー５１０のチャネル番号ｎの情報を測定部１２０に送信する（ステップＳ１２０）。ここでは、制御部１１１は、光を入射させる光ファイバー５１０のチャネルのチャネル番号ｎがｎ＝１であることを表す情報を測定部１２０に送信する。なお、本発明においては、光源部１１０が測定部１２０にチャネル番号ｎの情報を送信する方法や形式に関しては、特に規定しない。例えば、光源部１１０は、チャネル番号ｎを表すパルス信号やデータ信号によって、測定部１２０にチャネル番号ｎの情報を送信してもよい。
【００９５】
続いて、制御部１１１は、チャネル番号ｎ＝１に対応する光源１１２に光を発光させる（ステップＳ１３０）。これにより、チャネル番号ｎ＝１に対応する光源１１２が発光した光が、対応する光ファイバーファンアウトコード１１３に入射され、コネクタアダプタ１１４に嵌合されたＭＰＯコネクタ５０１に配置された多心コネクタ光ファイバーパッチコード５００内の光ファイバー５１０の１チャネルに出射される。そして、光ファイバー５１０の１チャネルに出射された光は、光ファイバー５１０の１チャネルによって測定部１２０に嵌合されたＭＰＯコネクタ５０２側に伝送される。
【００９６】
その後、制御部１１１は、光ファイバー５１０のチャネル番号ｎをｎ＝ｎ＋１に更新する（ステップＳ１４０）。
【００９７】
続いて、制御部１１１は、ステップＳ１４０において更新したチャネル番号ｎ（＝ｎ＋１）が、多心コネクタ光ファイバーパッチコード５００における光ファイバー５１０の心数以下であるか否かを確認する（ステップＳ１５０）。ここでは、制御部１１１は、多心コネクタ光ファイバーパッチコード５００が１２心の多心コネクタ光ファイバーパッチコード５００であるため、現在のチャネル番号ｎが１２以下であるか否かを確認する。
【００９８】
ステップＳ１５０の判定の結果、チャネル番号ｎが光ファイバー５１０の心数以下である場合（ステップＳ１５０の“ＹＥＳ”）、制御部１１１は、接続されている多心コネクタ光ファイバーパッチコード５００を構成する全ての光ファイバー５１０のチャネルへの光源１１２の光の入射が完了していないと判定する。そして、制御部１１１は、処理をステップＳ１２０に戻す。これにより、光源部１１０は、現在のチャネル番号ｎ（＝ｎ＋１）において、ステップＳ１２０〜ステップＳ１５０の処理を繰り返す。
【００９９】
一方、ステップＳ１５０の判定の結果、チャネル番号ｎが光ファイバー５１０の心数以下でない場合、つまり、現在のチャネル番号ｎ（＝ｎ＋１）が光ファイバー５１０の心数を超えている場合（ステップＳ１５０の“ＮＯ”）、制御部１１１は、接続されている多心コネクタ光ファイバーパッチコード５００を構成する全ての光ファイバー５１０のチャネルへの光源１１２の光の入射が完了したと判定する。そして、制御部１１１は、多心コネクタ光ファイバーパッチコード５００の測定におけるそれぞれの光ファイバー５１０のチャネルへの光の入射を終了する。
【０１００】
このような処理によって、光源部１１０は、コネクタアダプタ１１４に嵌合されたＭＰＯコネクタ５０１に配置されたそれぞれの光ファイバー５１０のチャネルに、光源１１２が発光した光を順次入射させる。より具体的には、光源部１１０は、多心コネクタ光ファイバーパッチコード５００を構成するいずれか１つの光ファイバー５１０のチャネルに光源１１２が発光した光を入射させる動作を繰り返して、予め定めた順番（図１１に示したフローチャートでは、１チャネル、２チャネル、・・・、１２チャネルの順番）で、光源１１２が発光した光をそれぞれの光ファイバー５１０のチャネルに順次入射させる。なお、この光源部１１０の動作は、従来の多心コネクタ光ファイバー測定装置を構成する光源部の動作と同様である。
【０１０１】
なお、光源部１１０の構成が、図２の（ｂ）に示した１つの光源を備えた構成である場合、制御部１１１は、ステップＳ１３０においてチャネル番号ｎに対応する光源１１２に光を発光させる代わりに、光スイッチ１１５に対して、光源１１２が発光した光を出射する光ファイバーファンアウトコード１１３側の光路を切り替えさせる制御を行うようにすることによって、上述した光源部１１０の動作と同様に動作する。従って、光源部１１０の構成が図２の（ｂ）に示した１つの光源を備えた構成である場合の動作に関する詳細な説明は省略する。
【０１０２】
続いて、図１１に示したフローチャートを用いて、多心コネクタ光ファイバー測定装置１００を構成する測定部１２０の動作について説明する。測定部１２０は、光源部１１０がステップＳ１００の処理によって送信された測定開始信号を受信すると、信号処理部１２２が、多心コネクタ光ファイバーパッチコード５００の極性タイプの確認（識別）と光パワーの計測（測定）とを開始する。
【０１０３】
信号処理部１２２は、多心コネクタ光ファイバーパッチコード５００の極性タイプの確認（識別）と光パワーの計測（測定）とを開始すると、まず、光源部１１０がステップＳ１２０の処理によって送信してきたチャネル番号ｎの情報を受信（取得）する（ステップＳ２００）。
【０１０４】
続いて、信号処理部１２２は、多心光コネクタ用レセプタクル１２１１に、多心コネクタ光ファイバーパッチコード５００内の光ファイバー５１０の１チャネルによって伝送された光を受光させ、分割型フォトダイオード１２１２から出力されたそれぞれの受光領域ごとの電気信号（光起電流）を取得する。これにより、信号処理部１２２は、それぞれの受光領域に対応する光パワー値を測定する（ステップＳ２１０）。ここでは、信号処理部１２２は、受光領域Ａに対応する光パワー値Ｐａ、受光領域Ｂに対応する光パワー値Ｐｂ、受光領域Ｃに対応する光パワー値Ｐｃ、および受光領域Ｄに対応する光パワー値Ｐｄを測定する。
【０１０５】
続いて、信号処理部１２２は、測定したそれぞれの受光領域の光パワー値から、上式（１）および上式（２）によって、多心光コネクタ用レセプタクル１２１１に嵌合された状態のＭＰＯコネクタ５０２から出射された光の開口部Ｏにおける光の出射位置の２次元座標（Ｘ，Ｙ）を算出する。つまり、信号処理部１２２は、多心光コネクタ用レセプタクル１２１１に嵌合されたＭＰＯコネクタ５０２に配置された多心コネクタ光ファイバーパッチコード５００内の光ファイバー５１０の１チャネルの位置を算出する。また、信号処理部１２２は、測定したそれぞれの受光領域の光パワー値から、上式（３）によって、光ファイバー５１０の１チャネルの光パワー値Ｐｃｈを算出する（ステップＳ２２０）。
【０１０６】
そして、信号処理部１２２は、算出した光ファイバー５１０の１チャネルの２次元座標（Ｘ，Ｙ）と光パワー値Ｐｃｈとを、ステップＳ２００において取得したチャネル番号ｎの情報と紐付けて一時的に記憶する（ステップＳ２３０）。
【０１０７】
続いて、信号処理部１２２は、ステップＳ２００において取得したチャネル番号ｎが、多心コネクタ光ファイバーパッチコード５００における光ファイバー５１０の心数であるか否かを確認する（ステップＳ２４０）。ここでは、信号処理部１２２は、多心コネクタ光ファイバーパッチコード５００が１２心の多心コネクタ光ファイバーパッチコード５００であるため、ステップＳ２００において取得したチャネル番号ｎが１２であるか否かを確認する。
【０１０８】
ステップＳ２４０の判定の結果、ステップＳ２００において取得したチャネル番号ｎが光ファイバー５１０の心数でない場合（ステップＳ２４０の“ＮＯ”）、信号処理部１２２は、接続されている多心コネクタ光ファイバーパッチコード５００を構成する全ての光ファイバー５１０のチャネルの２次元座標（Ｘ，Ｙ）と光パワー値Ｐｃｈとの算出が完了していないと判定する。そして、信号処理部１２２は、処理をステップＳ２００に戻す。これにより、測定部１２０は、多心コネクタ光ファイバーパッチコード５００を構成するそれぞれの光ファイバー５１０のチャネルに対する、ステップＳ２００〜ステップＳ２４０の処理を繰り返す。
【０１０９】
一方、ステップＳ２４０の判定の結果、ステップＳ２００において取得したチャネル番号ｎが光ファイバー５１０の心数である場合（ステップＳ２４０の“ＹＥＳ”）、信号処理部１２２は、接続されている多心コネクタ光ファイバーパッチコード５００を構成する全ての光ファイバー５１０のチャネルの２次元座標（Ｘ，Ｙ）と光パワー値Ｐｃｈとの算出が完了したと判定する。そして、信号処理部１２２は、処理をステップＳ２５０に進める。
【０１１０】
続いて、信号処理部１２２は、算出したそれぞれの光ファイバー５１０のチャネルの２次元座標（Ｘ，Ｙ）が表すＸ方向位置信号およびＹ方向位置信号のそれぞれを、例えば、図９に示したＸ方向位置信号の特性と同様に単調増加するように並べ替える（ステップＳ２５０）。そして、信号処理部１２２は、ステップＳ２５０において並べ替えたＸ方向位置信号およびＹ方向位置信号のそれぞれに紐付けられているチャネル番号ｎの情報を確認して、接続されている測定対象の多心コネクタ光ファイバーパッチコード５００の極性タイプを確認（識別）する（ステップＳ２６０）。
【０１１１】
続いて、信号処理部１２２は、ステップＳ２６０において確認（識別）した多心コネクタ光ファイバーパッチコード５００の極性タイプと、それぞれのチャネル番号に紐付けられている光パワー値Ｐｃｈとを、測定対象の多心コネクタ光ファイバーパッチコード５００の極性タイプの確認（識別）と光パワーの計測（測定）とを行った結果として、表示部１２３に出力して表示させる（ステップＳ２７０）。そして、信号処理部１２２は、測定対象の多心コネクタ光ファイバーパッチコード５００の極性タイプの確認（識別）と光パワーの計測（測定）とを終了する。
【０１１２】
このような処理によって、測定部１２０は、多心光コネクタ用レセプタクル１２１１に嵌合されたＭＰＯコネクタ５０２に配置されたそれぞれの光ファイバー５１０のチャネルによってでんそうされた光源部１１０が入射した光に基づいて、多心コネクタ光ファイバーパッチコード５００の極性タイプの確認（識別）と光パワーの計測（測定）とを行う。
【０１１３】
このように、多心コネクタ光ファイバー測定装置１００では、測定部１２０を構成する受光部１２１に、多心光コネクタ用レセプタクル１２１１と分割型フォトダイオード１２１２とを備え、多心光コネクタ用レセプタクル１２１１に嵌合されたＭＰＯコネクタ５０２内に配置された光ファイバー５１０のフェルール端面と分割型フォトダイオード１２１２との間の距離を予め定めた距離に固定する。なお、多心コネクタ光ファイバー測定装置１００では、多心光コネクタ用レセプタクル１２１１の開口部Ｏを、オスタイプのＭＰＯコネクタ５０２に備えた２本の位置決めピンＰが開口部Ｏの領域内に収まるような大きさおよび形状にしている。これにより、多心コネクタ光ファイバー測定装置１００では、ＭＰＯコネクタ５０２のタイプ（オスタイプやメスタイプ）に関係なく、多心光コネクタ用レセプタクル１２１１におけるフェルール突き当て部分に、ＭＰＯコネクタ５０２内に配置された光ファイバー５１０のチャネルのフェルール端面を突き当てることができる。
【０１１４】
また、多心コネクタ光ファイバー測定装置１００では、多心光コネクタ用レセプタクル１２１１に嵌合された状態のＭＰＯコネクタ５０２内に配置された光ファイバー５１０のチャネルのフェルール端面から、光ファイバー５１０によって伝送された光を、分割型フォトダイオード１２１２の受光領域に照射させる。そして、多心コネクタ光ファイバー測定装置１００では、分割型フォトダイオード１２１２が、分割されたそれぞれの受光領域で受光した光に応じた電気信号（光起電流）を、分割されたそれぞれの受光領域ごとに信号処理部１２２に出力する。そして、多心コネクタ光ファイバー測定装置１００では、信号処理部１２２が、受光部１２１内の分割型フォトダイオード１２１２から出力されたそれぞれの受光領域の電気信号に基づいて、ＭＰＯコネクタ５０２に配置された光ファイバー５１０のチャネルが光を出射した出射位置（２次元のＸ座標およびＹ座標）を算出する。そして、多心コネクタ光ファイバー測定装置１００では、信号処理部１２２が、算出した光ファイバー５１０のチャネルが光を出射した出射位置に基づいて、多心光コネクタ用レセプタクル１２１１に嵌合されたＭＰＯコネクタ５０２が取り付けられた多心コネクタ光ファイバーパッチコード５００の極性タイプを確認（識別）する。これにより、多心コネクタ光ファイバー測定装置１００では、多心光コネクタ用レセプタクル１２１１に嵌合されたＭＰＯコネクタ５０２に配置された光ファイバー５１０のチャネル数、つまり、多心コネクタ光ファイバーパッチコード５００における光ファイバー５１０の心数に関係なく、ＭＰＯコネクタ５０２に配置された光ファイバー５１０のチャネルが光を出射した出射位置を算出することができる。
【０１１５】
また、多心コネクタ光ファイバー測定装置１００では、信号処理部１２２が、受光部１２１内の分割型フォトダイオード１２１２から出力されたそれぞれの受光領域の電気信号に基づいて、ＭＰＯコネクタ５０２に配置された光ファイバー５１０のチャネルが出射した光の全体の光パワー値Ｐｃｈを算出して、光パワーの計測（測定）を行った結果とする。しかも、多心コネクタ光ファイバー測定装置１００では、分割型フォトダイオード１２１２が、多心光コネクタ用レセプタクル１２１１に嵌合されたＭＰＯコネクタ５０２に配置されたそれぞれの光ファイバー５１０のチャネルから出射された光の空間光Ｌを、分割されたそれぞれの受光領域で直接受光する。つまり、多心コネクタ光ファイバー測定装置１００では、多心光コネクタ用レセプタクル１２１１と分割型フォトダイオード１２１２との間に、従来の多心コネクタ光ファイバー測定装置に備えた光ファイバーファンアウトコード９２１２や光スイッチ９２１３のような、光を損失してしまう構成要素を備えない。これにより、多心コネクタ光ファイバー測定装置１００では、測定対象の多心コネクタ光ファイバーパッチコード５００以外の構成要素による光の損失の影響を受けて、光パワーの計測（測定）精度が低下してしまうことがない。
【０１１６】
そして、多心コネクタ光ファイバー測定装置１００では、信号処理部１２２が、確認（識別）した多心コネクタ光ファイバーパッチコード５００の極性タイプと、計測（測定）した光パワーとを、表示部１２３に表示させる。
【０１１７】
これらのことにより、多心コネクタ光ファイバー測定装置１００では、多心コネクタ光ファイバーパッチコード５００を構成する光ファイバー５１０の心数や、多心コネクタ光ファイバーパッチコード５００に取り付けられたＭＰＯコネクタ５０２のタイプ（オスタイプやメスタイプ）に関係なく、測定対象の多心コネクタ光ファイバーパッチコード５００の極性タイプの確認（識別）を行うことができ、光パワーの計測（測定）精度の低下を抑えることができる。
【０１１８】
なお、上述した説明では、測定対象の多心コネクタ光ファイバーパッチコード５００における光ファイバー５１０の心数が１２心の系統である場合について説明した。つまり、上述した説明では、多心コネクタ光ファイバーパッチコード５００に取り付けられたＭＰＯコネクタ５０２が、１２心や１２心の複数列である場合について説明した。しかし、多心コネクタ光ファイバー測定装置１００が測定を行う対象の多心コネクタ光ファイバーパッチコードには、１２心の系統以外にも、例えば、１６心など、様々な心数のものがある。多心コネクタ光ファイバー測定装置１００では、分割型フォトダイオード１２１２が、測定対象の多心コネクタ光ファイバーパッチコードに取り付けられたＭＰＯコネクタ内に配置された光ファイバーのチャネルのフェルール端面から出射された光を受光することができれば、多心コネクタ光ファイバーパッチコードの心数がいかなる心数であっても同様の考え方に基づいて、多心コネクタ光ファイバーパッチコードの極性タイプの確認（識別）と光パワーの計測（測定）とを行うことができる。
【０１１９】
ここで、多心コネクタ光ファイバーパッチコードの心数が１６心である場合の一例について説明する。なお、多心コネクタ光ファイバーパッチコードの心数が１６心である場合においても、多心コネクタ光ファイバー測定装置１００の構成や構造は同じである。従って、以下の説明においては、多心コネクタ光ファイバー測定装置１００において測定する１６心の多心コネクタ光ファイバーパッチコードも多心コネクタ光ファイバーパッチコード５００であるものとし、多心コネクタ光ファイバー測定装置１００の構成要素も同一の符号を用いて、１６心の多心コネクタ光ファイバーパッチコード５００の極性タイプの確認（識別）と光パワーの計測（測定）とを行う際の処理についてのみを説明する。
【０１２０】
図１２は、本発明の実施形態の多心コネクタ光ファイバー測定装置１００において計測を行う光と、光の受光領域との別の関係を説明する図である。なお、図１２は、分割型フォトダイオード１２１２の受光領域が４分割されている構成である場合の一例である。図１２の（ａ）には、１６心の多心コネクタ光ファイバーパッチコード５００に取り付けられた１６心ＭＰＯコネクタ５０２と、分割型フォトダイオード１２１２の受光領域との位置関係を、多心光コネクタ用レセプタクル１２１１側から見た場合の一例を模式的に示している。また、図１２の（ｂ）には、図１２の（ａ）に示した１６心ＭＰＯコネクタ５０２と分割型フォトダイオード１２１２との位置関係のときに、多心コネクタ光ファイバーパッチコード５００によって伝送されてきた光が照射される分割型フォトダイオード１２１２の受光領域の一例を模式的に示している。
【０１２１】
なお、図１２の（ａ）では、多心光コネクタ用レセプタクル１２１１を省略し、１６心ＭＰＯコネクタ５０２のみを示している。また、図１２の（ａ）に示した１６心ＭＰＯコネクタ５０２では、多心光コネクタ用レセプタクル１２１１に備えたキー溝Ｇに嵌合されるキー突起Ｋを併せて示している。なお、図１２に示したように、１６心ＭＰＯコネクタ５０２では、キー突起Ｋの位置が、図８に示した１２心ＭＰＯコネクタ５０２のキー突起Ｋの位置と異なっている。これは、１２心ＭＰＯコネクタ５０２と同様に、ＭＰＯコネクタ５０２が逆向きで嵌合されてしまうのを防止するのと共に、例えば、１２心ＭＰＯコネクタ５０２など、異なる心数のＭＰＯコネクタと嵌合されてしまうのを防止するためである。このため、多心コネクタ光ファイバー測定装置１００では、多心光コネクタ用レセプタクル１２１１の構造を、１２心のＭＰＯコネクタ５０２に加えて、１６心のＭＰＯコネクタ５０２も嵌合することができるようにする必要がある。しかし、１６心のＭＰＯコネクタ５０２も嵌合することができる多心光コネクタ用レセプタクル１２１１の構造は、例えば、図４の（ａ）に示した多心光コネクタ用レセプタクル１２１１の構造において、キー溝Ｇの幅を広くすることによって対応することができる。従って、１６心のＭＰＯコネクタ５０２も嵌合することができる多心光コネクタ用レセプタクル１２１１の構造に関する詳細な説明は省略する。
【０１２２】
図１２の（ａ）に示したように、分割型フォトダイオード１２１２は、受光領域Ａ、受光領域Ｂ、受光領域Ｃ、および受光領域Ｄの４つの受光領域に分割されている。ここで、図８の（ａ）に示した１２心ＭＰＯコネクタ５０２と分割型フォトダイオード１２１２における受光領域の関係では、１２心ＭＰＯコネクタ５０２に配置されたそれぞれの光ファイバー５１０のチャネルが、分割型フォトダイオード１２１２における上側の受光領域（受光領域Ａおよび受光領域Ｂ）と、下側の受光領域（受光領域Ｃおよび受光領域Ｄ）との境界線部分に位置していた。これに対して、図１２の（ａ）では、１６心ＭＰＯコネクタ５０２に配置されたそれぞれの光ファイバー５１０のチャネルの長手方向を、分割型フォトダイオード１２１２における上側の受光領域（受光領域Ａおよび受光領域Ｂ）と、下側の受光領域（受光領域Ｃおよび受光領域Ｄ）との境界線に対して、４５°の角度を持たせて位置させている。これは、１６心ＭＰＯコネクタ５０２では、ＭＰＯコネクタ５０２内に配置される光ファイバー５１０のフェルール端面の数が、１２心ＭＰＯコネクタ５０２よりも多いことに対応するためである。
【０１２３】
ここで、その理由を説明する。図９の説明において、１２心の多心コネクタ光ファイバーパッチコード５００の場合、光ファイバー５１０のチャネルの間隔（ピッチ）は、０．２５ｍｍ（＝２５０μｍ）であると説明した。このため、図９に示したＸ方向位置信号の特性では、それぞれの光ファイバー５１０のチャネルにおける分割型フォトダイオード１２１２内のＸ方向位置は、−１．３７５ｍｍ〜＋１．３７５ｍｍまでの間の位置となっていた。これは、下式（４）によって算出することができる。
【０１２４】
Ｘ方向位置＝（１２−１）×０．２５ｍｍ＝２．７５ｍｍ
＝±１．３７５ｍｍ      ・・・（４）
【０１２５】
１２心の多心コネクタ光ファイバーパッチコード５００と同様の条件で、１６心の多心コネクタ光ファイバーパッチコード５００の場合の分割型フォトダイオード１２１２内のＸ方向位置を算出すると、下式（５）のようになる。
【０１２６】
Ｘ方向位置＝（１６−１）×０．２５ｍｍ＝３．７５ｍｍ
＝±１．８７５ｍｍ      ・・・（５）
【０１２７】
この場合であっても、分割型フォトダイオード１２１２の受光領域の直径φが５ｍｍである場合には、分割型フォトダイオード１２１２が、多心光コネクタ用レセプタクル１２１１に嵌合された１６心ＭＰＯコネクタ５０２に配置されたそれぞれの光ファイバー５１０のチャネルから出射された光を受光できなくなることはない。しかしながら、図９に示したＸ方向位置信号の特性のように、Ｘ方向位置信号やＹ方向位置信号が単調増加する範囲にも限りがある。このため、図１２の（ａ）に示したように、１６心ＭＰＯコネクタ５０２を４５°の角度を持たせた位置にすることによって、分割型フォトダイオード１２１２がそれぞれの光ファイバー５１０のチャネルから出射された光を受光する受光領域の範囲に余裕を持たせている。そして、信号処理部１２２が算出した光の出射位置の２次元の座標（Ｘ，Ｙ）を規格化した際に、それぞれの光ファイバー５１０のチャネルに対応するＸ方向位置信号やＹ方向位置信号が単調増加する範囲内に、より確実に入るようにしている。つまり、それぞれの光ファイバー５１０のチャネルに対応するＸ方向位置信号やＹ方向位置信号の大きさが、隣接するチャネルに対応するＸ方向位置信号やＹ方向位置信号の大きさに対してより顕著な差となっている範囲内（すなわち、図９に示したＸ方向位置信号の特性の中央寄りの範囲内）になるようにしている。
【０１２８】
より具体的には、図１２の（ａ）に示したように、１６心ＭＰＯコネクタ５０２を４５°の角度を持たせた位置にした場合、分割型フォトダイオード１２１２内のＸ方向位置を算出すると、下式（６）のようになる。
【０１２９】
Ｘ方向位置＝（１６−１）×０．２５ｍｍ×Ｓｉｎ４５°
＝３．７５ｍｍ×Ｓｉｎ４５°
≒２．６５２ｍｍ                                  ・・・（６）
＝±１．３２６ｍｍ
【０１３０】
この場合、１６心の多心コネクタ光ファイバーパッチコード５００によって伝送され、多心光コネクタ用レセプタクル１２１１に嵌合された状態の１６心ＭＰＯコネクタ５０２から出射されるそれぞれの光ファイバー５１０のチャネルの光は、図１２の（ｂ）に示したように、分割型フォトダイオード１２１２のそれぞれの受光領域に照射される。つまり、１６心ＭＰＯコネクタ５０２から出射されるそれぞれの光ファイバー５１０のチャネルの光は、１６心ＭＰＯコネクタ５０２におけるそれぞれの光ファイバー５１０のチャネルの配置に応じて、分割型フォトダイオード１２１２における上側の受光領域と下側の受光領域との境界線に対して、４５°の角度を持った線に沿って少しずつずれた受光領域に照射される。
【０１３１】
図１２の（ｂ）には、光ファイバー５１０の１チャネルによって伝送された光が広がった空間光Ｌ１、８チャネルによって伝送された光が広がった空間光Ｌ８、および１６チャネルによって伝送された光が広がった空間光Ｌ１６のそれぞれが、分割型フォトダイオード１２１２の受光領域に照射されている状態を示している。なお、図１２の（ｂ）においても、それぞれの空間光Ｌは、多心光コネクタ用レセプタクル１２１１と分割型フォトダイオード１２１２との間の距離Ｄの空間内で、ガウス分布で広がっている。なお、図１２の（ｂ）に示したそれぞれの光ファイバー５１０のチャネルの空間光Ｌが照射されている受光領域の範囲も、図８の（ｂ）に示した空間光Ｌが照射されている受光領域の範囲と同様に、それぞれの光のエネルギー密度値が、ピークエネルギー密度値に対して１／ｅ２となった範囲を示している。
【０１３２】
なお、信号処理部１２２が、分割型フォトダイオード１２１２から出力されたそれぞれの受光領域ごとの電気信号（光起電流）に基づいて、１６心の多心コネクタ光ファイバーパッチコード５００の極性タイプの確認（識別）と光パワーの計測（測定）とを行う方法は、上述した１６心の多心コネクタ光ファイバーパッチコード５００の極性タイプの確認（識別）と光パワーの計測（測定）とを行う方法と同様に考えることができる。つまり、信号処理部１２２は、上式（１）および上式（２）によって、多心光コネクタ用レセプタクル１２１１の開口部Ｏにおける光の出射位置の２次元座標（Ｘ，Ｙ）を算出し、上式（３）によってそれぞれの光ファイバー５１０のチャネルによって伝送されてきた光の光パワー値Ｐｃｈを算出することができる。従って、信号処理部１２２が１６心の多心コネクタ光ファイバーパッチコード５００の極性タイプの確認（識別）と光パワーの計測（測定）とを行う方法に関する詳細な説明は省略する。
【０１３３】
なお、空間光Ｌの受光領域内の位置と、光の出射位置のＸ座標との関係は、図１３のようになる。図１３は、本発明の実施形態の多心コネクタ光ファイバー測定装置１００において照射される光（空間光Ｌ）の受光領域内の位置と、信号処理部１２２が算出した光の位置（光の出射位置のＸ座標）との１６心ＭＰＯコネクタ５０２の場合の関係を説明する図である。図１３に示した空間光Ｌの受光領域内の位置と、光の出射位置のＸ座標との関係も、図９に示した１２心の多心コネクタ光ファイバーパッチコード５００における空間光Ｌの受光領域内の位置と、光の出射位置のＸ座標との関係の一例と同様に、受光領域の直径φが５ｍｍで、受光領域が４分割された構成の分割型フォトダイオード１２１２の実測値から算出した一例である。図１３においても、図９と同様に、１６心の多心コネクタ光ファイバーパッチコード５００におけるそれぞれの光ファイバー５１０のチャネルの分割型フォトダイオード１２１２内の実際の位置と、信号処理部１２２が算出した光の出射位置のＸ座標との関係を示している。そして、図１３においても、図９と同様に、それぞれの光ファイバー５１０のチャネルの分割型フォトダイオード１２１２内のＸ方向の実際の位置（Ｘ方向位置（ｍｍ））をＸ軸に示し、信号処理部１２２が算出した光の出射位置のＸ座標をＹ軸に示している。なお、図１３においても、図９と同様に、信号処理部１２２が算出した光の出射位置のＸ座標を、−１〜＋１までの間の値で表した（規格化した）Ｘ方向位置信号（ａｂｕ）として示している。また、図１３においても、図９と同様に、それぞれの光ファイバー５１０のチャネルの番号（チャネル番号）を併せて示している。
【０１３４】
図１３においても、図９と同様に、Ｘ方向位置信号は、光ファイバー５１０のチャネル番号に対して、−１から＋１までの間で単調増加する特性を持っている。なお、図１３に示したＸ方向位置信号の特性も、図９に示したＸ方向位置信号の特性と同様に、１６心の多心コネクタ光ファイバーパッチコード５００がＡタイプである場合の特性である。なお、図１３に示したＸ方向位置信号の特性において、それぞれの光ファイバー５１０のチャネルの間隔（ピッチ）、０．２５ｍｍ（＝２５０μｍ）である。従って、図１３に示した特性では、上述したように、それぞれの光ファイバー５１０のチャネルにおける分割型フォトダイオード１２１２内のＸ方向位置は、−１．３２６ｍｍ〜＋１．３２６ｍｍまでの間の位置となっている。
【０１３５】
なお、図１３には、図９と同様にＸ方向位置信号の特性を示したが、Ｙ方向位置信号の特性も同様に考えることができる。これにより、多心コネクタ光ファイバーパッチコード５００が、１６心×２列の３２心、１６心×４列の６４心であっても、測定対象の多心コネクタ光ファイバーパッチコード５００の極性タイプの確認（識別）と光パワーの計測（測定）とを同時に行うことができる。
【０１３６】
なお、多心コネクタ光ファイバーパッチコード５００が１２心の多心コネクタ光ファイバーパッチコード５００である場合でも同様に、１２心ＭＰＯコネクタ５０２に配置されたそれぞれの光ファイバー５１０のチャネルの長手方向を、分割型フォトダイオード１２１２における上側の受光領域（受光領域Ａおよび受光領域Ｂ）と、下側の受光領域（受光領域Ｃおよび受光領域Ｄ）との境界線に対して、４５°の角度を持たせて位置させてもよい。この場合でも、信号処理部１２２は、図９と同様のＸ方向位置信号の特性を得ることができる。ただし、１２心ＭＰＯコネクタ５０２を分割型フォトダイオード１２１２の受光領域に対して４５°の角度を持たせた場合には、上述したような理由によって、それぞれの光ファイバー５１０のチャネルにおける分割型フォトダイオード１２１２内のＸ方向位置が、図９に示したＸ方向位置（−１．３７５ｍｍ〜＋１．３７５ｍｍまでの間の位置）よりも狭い範囲になる。より具体的には、１２心ＭＰＯコネクタ５０２を４５°の角度を持たせた位置にした場合、分割型フォトダイオード１２１２内のＸ方向位置を算出すると、下式（７）のようになる。
【０１３７】
Ｘ方向位置＝（１１−１）×０．２５ｍｍ×Ｓｉｎ４５°
＝２．７５ｍｍ×Ｓｉｎ４５°
≒１．９４５ｍｍ                                  ・・・（７）
＝±０．９７２ｍｍ
【０１３８】
この場合、多心コネクタ光ファイバー測定装置１００では、１２心の多心コネクタ光ファイバーパッチコード５００と１６心の多心コネクタ光ファイバーパッチコード５００とのそれぞれの極性タイプの確認（識別）と光パワーの計測（測定）とを、同じ構成で実現することができる。
【０１３９】
このように、多心コネクタ光ファイバー測定装置１００では、ＭＰＯコネクタ５０２に配置されたそれぞれの光ファイバー５１０のチャネルの長手方向を、分割型フォトダイオード１２１２における上側の受光領域（受光領域Ａおよび受光領域Ｂ）と、下側の受光領域（受光領域Ｃおよび受光領域Ｄ）との境界線に対して、４５°の角度を持たせて位置させる。この場合でも、多心コネクタ光ファイバー測定装置１００では、多心コネクタ光ファイバーパッチコード５００を構成する光ファイバー５１０の心数や、多心コネクタ光ファイバーパッチコード５００に取り付けられたＭＰＯコネクタ５０２のタイプ（オスタイプやメスタイプ）に関係なく、測定対象の多心コネクタ光ファイバーパッチコード５００の極性タイプの確認（識別）と光パワーの計測（測定）とを行うことができる。
【０１４０】
なお、上述した説明では、多心コネクタ光ファイバーパッチコード５００の心数が１６心である場合について説明した。しかし、多心コネクタ光ファイバー測定装置１００では、同様の考え方に基づいて、信号処理部１２２が算出した光の出射位置の２次元の座標（Ｘ，Ｙ）を規格化した、それぞれの光ファイバー５１０のチャネルに対応するＸ方向位置信号やＹ方向位置信号が単調増加する範囲内であれば、多心コネクタ光ファイバーパッチコード５００の心数がさらに多くなった場合でも同様に、極性タイプの確認（識別）と光パワーの計測（測定）とを、同じ構成で実現することができる。従って、多心コネクタ光ファイバー測定装置１００において、分割型フォトダイオード１２１２における上側の受光領域と下側の受光領域との境界線に対してそれぞれの光ファイバー５１０のチャネルの長手方向に持たせる角度は、上述した４５°に限定されるものではなく、それぞれの光ファイバー５１０のチャネルに対応するＸ方向位置信号やＹ方向位置信号が単調増加する範囲を考慮して決定すればよい。このため、多心コネクタ光ファイバー測定装置１００に、分割型フォトダイオード１２１２を回転させる機構を設けてもよい。つまり、多心コネクタ光ファイバー測定装置１００に、分割型フォトダイオード１２１２における上側の受光領域と下側の受光領域との境界線に対してそれぞれの光ファイバー５１０のチャネルの長手方向に持たせる角度を調整する機構を設けてもよい。これにより、多心コネクタ光ファイバー測定装置１００では、多心コネクタ光ファイバーパッチコード５００を構成する光ファイバー５１０の心数に関係なく、それぞれの光ファイバー５１０のチャネルと、分割型フォトダイオード１２１２の受光領域との角度に関する位置関係を適切にして、測定対象の多心コネクタ光ファイバーパッチコード５００の極性タイプの確認（識別）と光パワーの計測（測定）とを行うことができる。
【０１４１】
なお、図９、図１０、および図１３には、Ｘ方向位置信号が単調増加する特性を示した。しかし、Ｘ方向位置信号やＹ方向位置信号の特性が単調増加する範囲は、分割型フォトダイオード１２１２の受光領域に照射される空間光Ｌの範囲、つまり、多心光コネクタ用レセプタクル１２１１と分割型フォトダイオード１２１２との間の距離Ｄの空間内での空間光Ｌの広がりによって変化する。つまり、Ｘ方向位置信号やＹ方向位置信号の特性が単調増加する範囲は、分割型フォトダイオード１２１２の受光領域に照射される空間光Ｌの直径（以下、「ビーム径」という）によって変化する。このため、多心コネクタ光ファイバー測定装置１００では、空間光Ｌのビーム径を適切に調整する必要がある。
【０１４２】
ここで、空間光Ｌのビーム径の違いによって、Ｘ方向位置信号やＹ方向位置信号の特性が単調増加する範囲が異なる一例について説明する。図１４は、本発明の実施形態の多心コネクタ光ファイバー測定装置１００において照射される光（空間光Ｌ）の受光領域内の大きさと算出した光の位置（光の出射位置のＸ座標）との関係の違いを説明する図である。なお、図１４は、分割型フォトダイオード１２１２の受光領域の直径φが５ｍｍで、受光領域が４分割された構成であり、多心コネクタ光ファイバーパッチコード５００に取り付けられた１２心ＭＰＯコネクタ５０２と分割型フォトダイオード１２１２の位置関係が、図８の（ａ）に示した位置関係であるときの一例である。図１４の（ａ−１）には、多心コネクタ光ファイバーパッチコード５００によって伝送されてきた光が照射される分割型フォトダイオード１２１２の受光領域の範囲が小さい（ビーム径Ｂφが１ｍｍ）場合の一例を模式的に示している。また、図１４の（ａ−２）には、光が照射される分割型フォトダイオード１２１２の受光領域の範囲が図１４の（ａ−１）に示した大きさ（ビーム径Ｂφ＝１ｍｍ）である場合における、それぞれの光ファイバー５１０のチャネルの分割型フォトダイオード１２１２内の実際の位置と、信号処理部１２２が算出した光の出射位置のＸ座標との関係を示している。また、図１４の（ｂ−１）には、多心コネクタ光ファイバーパッチコード５００によって伝送されてきた光が照射される分割型フォトダイオード１２１２の受光領域の範囲が大きい（ビーム径Ｂφが２ｍｍ）場合の一例を模式的に示している。また、図１４の（ｂ−２）には、光が照射される分割型フォトダイオード１２１２の受光領域の範囲が図１４の（ｂ−１）に示した大きさ（ビーム径Ｂφ＝２ｍｍ）である場合における、それぞれの光ファイバー５１０のチャネルの分割型フォトダイオード１２１２内の実際の位置と、信号処理部１２２が算出した光の出射位置のＸ座標との関係を示している。
【０１４３】
なお、図１４の（ａ−２）および図１４の（ｂ−２）では、それぞれの光ファイバー５１０のチャネルの分割型フォトダイオード１２１２内のＸ方向の実際の位置（Ｘ方向位置（ｍｍ））をＸ軸に示し、信号処理部１２２が算出した光の出射位置のＸ座標をＹ軸に示している。そして、図１４の（ａ−２）および図１４の（ｂ−２）では、信号処理部１２２が算出した光の出射位置のＸ座標を、−１〜＋１までの間の値で表した（規格化した）Ｘ方向位置信号（ａｂｕ）とし、それぞれの光ファイバー５１０のチャネルの番号（チャネル番号）を併せて示している。
【０１４４】
なお、図１４の（ｂ−１）は、図８の（ｂ）に示した多心コネクタ光ファイバーパッチコード５００によって伝送されてきた光が照射される分割型フォトダイオード１２１２の受光領域の一例と同じ図である。また、図１４の（ｂ−２）は、図９に示した多心コネクタ光ファイバーパッチコード５００におけるそれぞれの光ファイバー５１０のチャネルの分割型フォトダイオード１２１２内の実際の位置と、信号処理部１２２が算出した光の出射位置のＸ座標との関係の一例と同じ図である。
【０１４５】
上述したように、多心光コネクタ用レセプタクル１２１１の開口部ＯにおいてＭＰＯコネクタ５０２に配置されたそれぞれの光ファイバー５１０のチャネルから出射された光は、多心光コネクタ用レセプタクル１２１１と分割型フォトダイオード１２１２との間の距離Ｄの空間において、ガウス分布で広がっていく。このため、図１４の（ａ−１）および図１４の（ｂ−１）では、ガウス分布で広がった空間光Ｌのビーム径として、エネルギー密度値がピークエネルギー密度値に対して１／ｅ２となったときの受光領域の範囲の直径（幅）を示しているが、上述したように、それぞれの光ファイバー５１０のチャネルから出射された空間光Ｌは、ビーム径の範囲外にも広がって、分割型フォトダイオード１２１２のそれぞれの受光領域に照射される。
【０１４６】
このとき、図１４の（ａ−１）に示したように、ビーム径Ｂφが小さい（ビーム径Ｂφが１ｍｍ）場合には、異なるチャネルから空間光Ｌが出射されたとしても、分割型フォトダイオード１２１２の４つの受光領域（受光領域Ａ、受光領域Ｂ、受光領域Ｃ、および受光領域Ｄ）に照射される空間光Ｌの量が変化しないことがあり得る。これは、ビーム径Ｂφが小さい（ビーム径Ｂφが１ｍｍ）場合、それぞれの光ファイバー５１０のチャネルから出射される光のエネルギー密度値が変化する領域が狭いためである。例えば、チャネル１から出射された空間光Ｌ１とチャネル２から出射された空間光Ｌ２とは、そのほとんどが受光領域Ｂと受光領域Ｃとに照射され、受光領域Ａと受光領域Ｄとには照射されない。このため、チャネル１とチャネル２とでは、信号処理部１２２が得るそれぞれの受光領域に対応する光パワー値に変化が表れない。また、例えば、チャネル１１から出射された空間光Ｌ１１とチャネル１２から出射された空間光Ｌ１２とは、そのほとんどが受光領域Ａと受光領域Ｄとに照射され、受光領域Ｂと受光領域Ｃとには照射されない。このため、チャネル１１とチャネル１２とでも、信号処理部１２２が得るそれぞれの受光領域に対応する光パワー値に変化が表れない。すると、信号処理部１２２が算出した光の出射位置のＸ座標を規格化した際に、それぞれの光ファイバー５１０のチャネルに対応するＸ方向位置信号の大きさに変化が表れないことになってしまう。つまり、Ｘ方向位置信号が単調増加しないことになってしまう。図１４の（ａ−２）に示した一例では、１２個の光ファイバー５１０のチャネルの内、ＭＰＯコネクタ５０２の両端に近い位置に配置された光ファイバー５１０のチャネルに対応するＸ方向位置信号の大きさが単調増加せずに、一定の大きさになっている。より具体的には、図１４の（ａ−２）に示した一例では、光ファイバー５１０の１チャネル〜３チャネルに対応するＸ方向位置信号の大きさが、−１ａｂｕで一定の大きさになっている。また、図１４の（ａ−２）に示した一例では、光ファイバー５１０の１０チャネル〜１２チャネルに対応するＸ方向位置信号の大きさが、＋１ａｂｕで一定の大きさになっている。このような場合、信号処理部１２２は、光ファイバー５１０の１チャネル〜３チャネルおよび１０チャネル〜１２チャネルを正確に確認（識別）が困難になってしまう。
【０１４７】
これに対して、図１４の（ｂ−１）に示したように、ビーム径Ｂφが大きい（ビーム径Ｂφが２ｍｍ）場合では、異なるチャネルから空間光Ｌが出射されたときには、分割型フォトダイオード１２１２の４つの受光領域（受光領域Ａ、受光領域Ｂ、受光領域Ｃ、および受光領域Ｄ）に照射される空間光Ｌの量が必ず変化する。これは、ビーム径Ｂφが大きい（ビーム径Ｂφが２ｍｍ）場合、それぞれの光ファイバー５１０のチャネルから出射される光のエネルギー密度値が変化する領域が広いためである。例えば、チャネル１から出射された空間光Ｌ１とチャネル２から出射された空間光Ｌ２とのそれぞれは、中心位置が図１４の（ａ−１）に示したビーム径Ｂφが小さい（ビーム径Ｂφが１ｍｍ）場合と同じ位置であっても、受光領域Ａ、受光領域Ｂ、受光領域Ｃ、および受光領域Ｄのそれぞれの受光領域に照射される。しかも、チャネル１から出射された空間光Ｌ１とチャネル２から出射された空間光Ｌ２とでは、それぞれの受光領域に照射される空間光Ｌの量が異なる。このため、チャネル１とチャネル２とでは、信号処理部１２２が得るそれぞれの受光領域に対応する光パワー値に変化が表れる。また、例えば、チャネル１１から出射された空間光Ｌ１１とチャネル１２から出射された空間光Ｌ１２とのそれぞれは、中心位置が図１４の（ａ−１）に示したビーム径Ｂφが小さい（ビーム径Ｂφが１ｍｍ）場合と同じ位置であっても、受光領域Ａ、受光領域Ｂ、受光領域Ｃ、および受光領域Ｄのそれぞれの受光領域に照射される。しかも、チャネル１１から出射された空間光Ｌ１１とチャネル１２から出射された空間光Ｌ１２とでは、それぞれの受光領域に照射される空間光Ｌの量が異なる。このため、チャネル１１とチャネル１２とでも、信号処理部１２２が得るそれぞれの受光領域に対応する光パワー値に変化が表れる。このため、信号処理部１２２が算出した光の出射位置のＸ座標を規格化した際に、それぞれの光ファイバー５１０のチャネルに対応するＸ方向位置信号の大きさに変化が表れる。つまり、Ｘ方向位置信号が単調増加する。図１４の（ｂ−２）に示した一例では、１２個の光ファイバー５１０のチャネルの全てにおいて、対応するＸ方向位置信号の大きさが単調増加している。このような場合、信号処理部１２２は、光ファイバー５１０の全てのチャネルを正確に確認（識別）ができる。
【０１４８】
従って、多心コネクタ光ファイバー測定装置１００においては、それぞれの光ファイバー５１０のチャネルから出射された空間光Ｌが、分割型フォトダイオード１２１２において分割された全ての受光領域（図１４では、受光領域Ａ、受光領域Ｂ、受光領域Ｃ、および受光領域Ｄ）に照射されると共に、チャネルごとにそれぞれの受光領域に照射される空間光Ｌの量が異なるように、空間光Ｌのビーム径Ｂφの大きさを適切な大きさにする。なお、多心コネクタ光ファイバー測定装置１００では、多心光コネクタ用レセプタクル１２１１と分割型フォトダイオード１２１２との間の距離Ｄを調整することによって、空間光Ｌのビーム径Ｂφの大きさを調整することができる。このため、多心コネクタ光ファイバー測定装置１００に、多心光コネクタ用レセプタクル１２１１と分割型フォトダイオード１２１２との間の距離Ｄを調整する機構を設けてもよい。つまり、多心コネクタ光ファイバー測定装置１００に、空間光Ｌのビーム径Ｂφの変更を可能にするための機構を設けてもよい。これにより、多心コネクタ光ファイバー測定装置１００では、多心コネクタ光ファイバーパッチコード５００を構成する光ファイバー５１０の心数に関係なく、多心光コネクタ用レセプタクル１２１１と分割型フォトダイオード１２１２との間の距離Ｄを適切にして、つまり、空間光Ｌのビーム径Ｂφの大きさを適切な大きさにして、測定対象の多心コネクタ光ファイバーパッチコード５００の極性タイプの確認（識別）と光パワーの計測（測定）とを行うことができる。
【０１４９】
なお、例えば、多心コネクタ光ファイバーパッチコード５００を構成する光ファイバー５１０の心数がさらに多くなるなどの理由によって、ＭＰＯコネクタ５０２が大型化することも考えられる。この場合、多心コネクタ光ファイバー測定装置１００では、多心光コネクタ用レセプタクル１２１１の構造（特に、開口部Ｏの大きさおよび形状）を変更することによって、大型化したＭＰＯコネクタ５０２に対応させることができる。ところで、多心コネクタ光ファイバー測定装置１００では、上述したように、分割型フォトダイオード１２１２は、多心光コネクタ用レセプタクル１２１１に嵌合されたＭＰＯコネクタ５０２に配置されたそれぞれの光ファイバー５１０のチャネルから出射された光の空間光Ｌを、分割されたそれぞれの受光領域で直接受光する。このため、多心コネクタ光ファイバー測定装置１００では、分割型フォトダイオード１２１２が、全ての光ファイバー５１０のチャネルから出射された光を電気信号（光起電流）に変換するために、空間光Ｌのビーム径Ｂφの大きさを小さくせざるを得ないことも考えられる。これは、多心コネクタ光ファイバー測定装置１００では、分割型フォトダイオード１２１２の受光領域の直径φを変更することはできないためである。そこで、多心コネクタ光ファイバー測定装置１００では、多心光コネクタ用レセプタクル１２１１と分割型フォトダイオード１２１２との間に、全ての光ファイバー５１０のチャネルから出射された光を分割型フォトダイオード１２１２の受光領域の直径φの範囲内に照射させるレンズを配置してもよい。なお、ここで、多心光コネクタ用レセプタクル１２１１と分割型フォトダイオード１２１２との間に配置するレンズは、それぞれの光ファイバー５１０のチャネルにおける光の出射位置の関係を反映しつつ、光を分割型フォトダイオード１２１２の受光領域の直径φの範囲内に照射させるレンズである。つまり、多心光コネクタ用レセプタクル１２１１と分割型フォトダイオード１２１２との間に配置するレンズは、それぞれの光ファイバー５１０のチャネルにおける一定の間隔（ピッチ）を反映しつつ、出射された光の光路を分割型フォトダイオード１２１２の受光領域の直径φの範囲内に変更するレンズである。この構成の場合、多心コネクタ光ファイバー測定装置１００では、分割型フォトダイオード１２１２として、受光領域の直径φが小さい分割型フォトダイオードを採用することができる。すなわち、上記の説明では、分割型フォトダイオード１２１２の受光領域の直径φが５ｍｍである場合について説明したが、例えば、受光領域の直径φが４ｍｍや３ｍｍというような直径φが小さい受光領域の分割型フォトダイオードを採用することができる。これにより、多心コネクタ光ファイバー測定装置１００では、多心コネクタ光ファイバーパッチコード５００を構成する光ファイバー５１０の心数や、多心コネクタ光ファイバーパッチコード５００に取り付けられたＭＰＯコネクタ５０２のタイプに関係なく、測定対象の多心コネクタ光ファイバーパッチコード５００の極性タイプの確認（識別）と光パワーの計測（測定）とを行うと共に、分割型フォトダイオード１２１２のコストを低減することができる。
【０１５０】
なお、多心コネクタ光ファイバー測定装置１００において多心光コネクタ用レセプタクル１２１１と分割型フォトダイオード１２１２との間に配置するレンズは、上述したように、出射された光の光路を変更するレンズである。このため、多心コネクタ光ファイバー測定装置１００では、多心光コネクタ用レセプタクル１２１１と分割型フォトダイオード１２１２との間に配置するレンズを、信号処理部１２２が算出した光の出射位置の２次元の座標（Ｘ，Ｙ）を規格化した際に、それぞれの光ファイバー５１０のチャネルに対応するＸ方向位置信号やＹ方向位置信号が単調増加する範囲内にするために利用することができる。この場合、多心光コネクタ用レセプタクル１２１１と分割型フォトダイオード１２１２との間に配置するレンズでは、それぞれの光ファイバー５１０のチャネルにおける一定の間隔（ピッチ）をそのまま反映するのではなく、ＭＰＯコネクタ５０２の中央に近い位置に配置された光ファイバー５１０のチャネルの間隔（ピッチ）を狭くして、出射された光の光路を分割型フォトダイオード１２１２の受光領域の直径φの範囲内に変更する。つまり、多心光コネクタ用レセプタクル１２１１と分割型フォトダイオード１２１２との間に配置するレンズは、それぞれの光ファイバー５１０のチャネルの間隔（ピッチ）を不等間隔（ＭＰＯコネクタ５０２の中央に近い位置に配置された光ファイバー５１０のチャネルと、ＭＰＯコネクタ５０２の両端に近い位置に配置された光ファイバー５１０のチャネルとを異なる間隔）にして、出射された光の光路を分割型フォトダイオード１２１２の受光領域の直径φの範囲内に変更する。これにより、多心コネクタ光ファイバー測定装置１００では、それぞれの光ファイバー５１０のチャネルの空間光Ｌの範囲が、分割型フォトダイオード１２１２の受光領域の中央寄りの範囲内になる。そして、多心コネクタ光ファイバー測定装置１００では、信号処理部１２２が算出した光の出射位置の２次元の座標（Ｘ，Ｙ）を規格化した際に、それぞれの光ファイバー５１０のチャネルに対応するＸ方向位置信号やＹ方向位置信号も、隣接するチャネル同士で差がより大きい中央寄りの範囲内になる。これにより、多心コネクタ光ファイバー測定装置１００では、多心コネクタ光ファイバーパッチコード５００を構成する光ファイバー５１０の心数や、多心コネクタ光ファイバーパッチコード５００に取り付けられたＭＰＯコネクタ５０２のタイプに関係なく、測定対象の多心コネクタ光ファイバーパッチコード５００の極性タイプの確認（識別）と光パワーの計測（測定）とをより精度よく行うことができる。
【０１５１】
上記に述べたとおり、本発明を実施するための形態によれば、多心コネクタ光ファイバー測定装置を構成する測定部内の受光部に、多心光コネクタ用レセプタクルと分割型フォトダイオードとを備える。これにより、本発明を実施するための形態では、多心コネクタ光ファイバー測定装置を構成する測定部内の受光部において、多心光コネクタ用レセプタクルに嵌合された測定対象の多心コネクタ光ファイバーパッチコードに取り付けられた多心光コネクタ内に配置された光ファイバーのフェルール端面と分割型フォトダイオードとの間の距離を予め定めた距離に固定する。しかも、本発明を実施するための形態では、多心光コネクタ用レセプタクルの開口部を、多心光コネクタのフェルール端面から出射される光ファイバーの各チャネルの光を遮らず、多心光コネクタの構造の影響を受けない大きさおよび形状にしている。これにより、本発明を実施するための形態では、多心コネクタ光ファイバー測定装置を構成する測定部内の受光部において、測定対象の多心コネクタ光ファイバーパッチコードに取り付けられた多心光コネクタの構造に関係なく、多心光コネクタ用レセプタクルにおけるフェルール突き当て部分に、多心光コネクタ内に配置された光ファイバーのチャネルのフェルール端面を突き当てることができる。
【０１５２】
また、本発明を実施するための形態によれば、多心コネクタ光ファイバー測定装置を構成する測定部内の受光部において、多心光コネクタ用レセプタクルに嵌合された状態の多心光コネクタ内に配置された光ファイバーのチャネルのフェルール端面から、光ファイバーによって伝送された光を、分割型フォトダイオードの受光領域に直接照射させる。そして、本発明を実施するための形態では、多心コネクタ光ファイバー測定装置を構成する測定部内の受光部において、分割型フォトダイオードが、分割されたそれぞれの受光領域で受光した光に応じた電気信号（光起電流）を、分割されたそれぞれの受光領域ごとに、多心コネクタ光ファイバー測定装置を構成する信号処理部に出力する。そして、本発明を実施するための形態では、多心コネクタ光ファイバー測定装置を構成する測定部内の信号処理部が、受光部内の分割型フォトダイオードから出力されたそれぞれの受光領域の電気信号に基づいて、多心光コネクタに配置された光ファイバーのチャネルが光を出射した出射位置（２次元のＸ座標およびＹ座標）を算出する。そして、本発明を実施するための形態では、多心コネクタ光ファイバー測定装置を構成する測定部内の信号処理部が、算出した光ファイバーのチャネルが光を出射した出射位置に基づいて、多心光コネクタ用レセプタクルに嵌合された多心光コネクタが取り付けられた多心コネクタ光ファイバーパッチコードの極性タイプを確認（識別）する。これにより、本発明を実施するための形態では、多心コネクタ光ファイバー測定装置において、多心光コネクタ用レセプタクルに嵌合された多心光コネクタに配置された光ファイバーのチャネル数、つまり、多心コネクタ光ファイバーパッチコードにおける光ファイバーの心数に関係なく、多心光コネクタに配置された光ファイバーのチャネルが光を出射した出射位置を算出することができる。
【０１５３】
また、本発明を実施するための形態によれば、多心コネクタ光ファイバー測定装置を構成する測定部内の信号処理部が、受光部内の分割型フォトダイオードから出力されたそれぞれの受光領域の電気信号に基づいて、多心光コネクタに配置された光ファイバーのチャネルが出射した光の全体の光パワー値を算出して、光パワーの計測（測定）を行った結果とする。しかも、本発明を実施するための形態では、多心コネクタ光ファイバー測定装置を構成する測定部内の受光部において、分割型フォトダイオードが、多心光コネクタ用レセプタクルに嵌合された多心光コネクタに配置されたそれぞれの光ファイバーのチャネルから出射された光の空間光を、分割されたそれぞれの受光領域で直接受光する。これにより、本発明を実施するための形態では、多心コネクタ光ファイバー測定装置において、従来の多心コネクタ光ファイバー測定装置のように、測定対象の多心コネクタ光ファイバーパッチコード以外の構成要素による光の損失の影響を受けることなく、光パワーの計測（測定）精度の低下を抑えることができる。
【０１５４】
これらのことにより、本発明を実施するための形態では、多心コネクタ光ファイバー測定装置１００において、多心コネクタ光ファイバーパッチコードを構成する光ファイバーの心数や、多心コネクタ光ファイバーパッチコードに取り付けられた多心光コネクタの構造に関係なく、測定対象の多心コネクタ光ファイバーパッチコードの極性タイプの確認（識別）を行うことができ、光パワーの計測（測定）を高い精度で行うことができる。
【０１５５】
なお、本発明を実施するための形態では、多心コネクタ光ファイバー測定装置１００を構成する測定部１２０内の受光部１２１に分割型フォトダイオード１２１２を備え、信号処理部１２２が、分割型フォトダイオード１２１２から出力されたそれぞれの受光領域の電気信号に基づいて、ＭＰＯコネクタ５０２（多心光コネクタ）に配置された光ファイバー５１０のチャネルが光を出射した出射位置を算出する構成を示した。しかし、ＭＰＯコネクタ５０２に配置された光ファイバー５１０のチャネルが光を出射した出射位置の情報を得ることができるセンサとしては、分割型フォトダイオード１２１２の他にも、例えば、位置検出素子（Ｐｏｓｉｔｉｏｎ  Ｓｅｎｓｉｔｉｖｅ  Ｄｅｔｅｃｔｏｒ：ＰＳＤ）などがある。この位置検出素子は、フォトダイオードの特性を利用してスポット光の位置を検出する素子であり、受光領域が分割されていない構成でありながら、スポット光の位置を２次元で検出することができる。このため、多心コネクタ光ファイバー測定装置１００において、分割型フォトダイオード１２１２の代わりに、位置検出素子を利用する構成も考えられる。しかしながら、分割型フォトダイオードは、位置検出素子よりも、温度特性がよく、入射した光パワー値（レベル）に応じて出力する光起電流がリニアである範囲、つまり、線形性がある範囲が広いという特徴がある。このため、位置検出素子では、ＭＰＯコネクタ５０２に配置された光ファイバー５１０のチャネルから出射された光の光パワー値（レベル）に応じた高い精度の情報を得ることができないという懸念がある。従って、多心コネクタ光ファイバー測定装置１００においては、ＭＰＯコネクタ５０２に配置された光ファイバー５１０のチャネルが光を出射した出射位置の情報を得るためのセンサとしては、位置検出素子よりも、分割型フォトダイオードを利用した方が、光ファイバー５１０のチャネルから出射された光の光パワー値（レベル）に対してより柔軟性を持った高い精度で光パワーの計測（測定）を行うことができると考えられる。
【０１５６】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０１５７】
１００・・・多心コネクタ光ファイバー測定装置
１１０・・・光源部
１１１・・・制御部
１１２・・・光源
１１３・・・光ファイバーファンアウトコード
１１４・・・コネクタアダプタ
１１５・・・光スイッチ
１２０・・・測定部
１２１・・・受光部
１２１１・・・多心光コネクタ用レセプタクル
１２１２・・・分割型フォトダイオード
１２２・・・信号処理部
１２３・・・表示部
５００・・・多心コネクタ光ファイバーパッチコード
５０１・・・ＭＰＯコネクタ（多心光コネクタ）
５０２・・・ＭＰＯコネクタ（多心光コネクタ）
５１０・・・光ファイバー
Ｏ・・・開口部
Ｇ・・・キー溝
Ｐ・・・位置決めピン
Ｈ・・・位置決め穴
Ｋ・・・キー突起
Ｌ，Ｌ１，Ｌ６，Ｌ１２，Ｌ１６・・・空間光
９００・・・多心コネクタ光ファイバー測定装置
９１０・・・光源部
９２０・・・測定部
９２１・・・受光部
９２１１・・・多心コネクタアダプタ
９２１２・・・光ファイバーファンアウトコード
９２１３・・・光スイッチ
９２１４・・・光センサ
９２２・・・信号処理部
９２３・・・表示部
【図１】
2019152627.tif 000003
【図２】
2019152627.tif 000004
【図３】
2019152627.tif 000005
【図４】
2019152627.tif 000006
【図５】
2019152627.tif 000007
【図６】
2019152627.tif 000008
【図７】
2019152627.tif 000009
【図８】
2019152627.tif 000010
【図９】
2019152627.tif 000011
【図１０】
2019152627.tif 000012
【図１１】
2019152627.tif 000013
【図１２】
2019152627.tif 000014
【図１３】
2019152627.tif 000015
【図１４】
2019152627.tif 000016
【図１５】
2019152627.tif 000017